(57)【要約】【課題】  本発明は、無線ヘッドセットが安定的に動作され、大きさが小さくなり、製造費が減り、機器が正常に動作され、外部の衝撃によっても定まった位置で、与えられた形状及び構造の通り安定的に置かれることができ、使用者の携帯が簡便になり、より便利に使用することができる無線ヘッドセットを提供するためのものである。【解決手段】  本発明による無線ヘッドセット１は、長い棒形状で提供される本体２と、前記本体の上段部及び下段部のうち、いずれか一端部軸に提供されて、前記本体に対して回動されるイヤホン６と、前記イヤホンが前記本体に対して引出状態及び／または、引入状態及び／または、引入状態と引出状態との間でその停止位置が維持されるようにするイヤホン位置ガイド構造とが含まれる。【選択図】  図１
2007151127.tif 000002
【特許請求の範囲】
【請求項１】
長い棒形状で提供される本体と、
前記本体の上段部及び下段部のうち、いずれかの一端部側に提供されて前記本体に対して回動されるイヤホンと、
前記イヤホンが前記本体に対して引出状態及び／または引入状態及び／または引入状態と引出状態との間でその停止位置が維持されるようにするイヤホン位置ガイド構造と、
が含まれることを特徴とする無線ヘッドセット。
【請求項２】
前記イヤホン位置ガイド構造は、前記本体と前記イヤホンとの間の連結部に提供される弾性ヒンジが含まれることを特徴とする請求項１に記載の無線ヘッドセット。
【請求項３】
前記イヤホンと前記本体との間には前記イヤホンの引入状態に比べて前記イヤホンの引出状態で前記イヤホンと前記本体との距離が長く維持されるようにするスペーサが含まれることを特徴とする請求項１に記載の無線ヘッドセット。
【請求項４】
前記イヤホンは、前記本体の外面から内側へ陥没するイヤホンガイド溝の内部に一部分が挿入されることを特徴とする請求項１に記載の無線ヘッドセット。
【請求項５】
前記イヤホンは、前記本体の延長方向に対して垂直または水平方向に引出されることを特徴とする請求項１に記載の無線ヘッドセット。
【請求項６】
前記イヤホンと前記本体とを連結する部位には柔らかく弾性変形される変形部が含まれることを特徴とする請求項１に記載の無線ヘッドセット。
【請求項７】
前記イヤホンは、前記本体で回転して、固定の際、前記本体の上面の延長線（Ｃ１）に対して前記イヤホンの中心線（Ｃ２）が５〜２０゜の角度（Ａ）で傾斜するように形成されることを特徴とする請求項１に記載の無線ヘッドセット。
【請求項８】
前記イヤホンは前記本体で回転して、固定の際、前記イヤホンの底面と前記本体の上面との間のオフセット（offset）（Ｂ）が２〜８ｍｍで形成されることを特徴とする請求項１に記載の無線ヘッドセット。
【請求項９】
本体と、
前記本体の外部から内側へ陥没形成されるイヤホンガイド溝と、
前記イヤホンガイド溝に安着することができ、前記本体に対して畳まれる方向に回転して引出されるイヤホンと、
少なくとも前記イヤホンの引出状態及び／または引入状態で前記イヤホンの位置を停止状態に維持させるイヤホン位置ガイド構造と、
前記イヤホンの引出状態で前記イヤホンが前記本体に対して離隔した状態を維持するためのスペーサと、
が含まれることを特徴とする無線ヘッドセット。
【請求項１０】
棒形状で提供される本体と、
前記本体の外部から内側へ陥没形成されるイヤホンガイド溝と、
前記イヤホンガイド溝に安着するイヤホンと、
少なくとも前記イヤホンの引出状態で前記イヤホンの位置を停止状態に維持させるために前記イヤホンと前記本体の連結部に提供されて前記イヤホンの回動位置に弾性力を提供する弾性ヒンジと、
前記イヤホンの引出状態で前記イヤホンが前記本体に対して離隔した状態を維持するためのスペーサと、
が含まれることを特徴とする無線ヘッドセット。
【請求項１１】
前記弾性ヒンジには前記イヤホンが回転する中心軸をなす回転軸と、
前記回転軸と等角回転するカムと、
前記カムと接するスタッドと、
前記スタッドを押し上げる弾性力を提供する弾性部材と、
が含まれることを特徴とする請求項１０に記載の無線ヘッドセット。
【請求項１２】
本体と、
前記本体に対して回動されて外側に引出されるイヤホンと、
前記イヤホンは前記本体に対する停止位置が維持されるようにするイヤホン位置ガイド構造と、
前記本体に結合され、前記本体を据置するためのクリップと、
が含まれることを特徴とする無線ヘッドセット。
【請求項１３】
本体と、
前記本体で陥没形成されるイヤホンガイド溝と、
前記イヤホンガイド溝に安着することができ、前記本体に対して回転して引出されるイヤホンと、
前記イヤホンの引出状態で前記イヤホンが前記本体に対して離隔した状態を維持するためのスペーサと、
前記スペーサの端部に形成される回転軸と、
前記回転軸と共に回転し、少なくとも１つ以上の平面部が提供される多角形の回転ガイドと、
前記回転ガイドの平面部と面接する方向に前記回転ガイドを回転させる弾性力を提供する弾性部材と、
が含まれることを特徴とする無線ヘッドセット。
【請求項１４】
本体と、
前記本体で陥没形成されるイヤホンガイド溝と、
前記イヤホンガイド溝に安着することができ、前記本体に対して回転して引出されるイヤホンと、
前記イヤホンの引出状態で前記イヤホンが前記本体に対して離隔した状態を維持するためのスペーサと、
前記スペーサの端部に形成される回転軸と、
前記回転軸と等角回転するガイド板と、
前記ガイド板の中心と等距離に提供される少なくとも１つの係止部と、
前記係止部に選択的に係止される挿入口と、
前記挿入口を前記係止部側に押圧する弾性部材と、
が含まれることを特徴とする無線ヘッドセット。
【請求項１５】
前記イヤホンは引入状態と引出状態に対応する位置または引入状態と引出状態との間に対応する１つ以上の位置に対応する係止部が形成されることを特徴とする請求項１４に記載の無線ヘッドセット。
【請求項１６】
本体と、
前記本体で陥没形成されるイヤホンガイド溝と、
前記イヤホンガイド溝に安着することができ、前記本体に対して回転して引出されるイヤホンと、
前記イヤホンの引出状態で前記イヤホンが前記本体に対して離隔した状態を維持するためのスペーサと、
前記スペーサと共に回転する回転軸と、
前記回転軸と共に回転する少なくとも１つの平面部が含まれる回転ガイドと、
樹脂材で形成され、前記回転ガイドの平面部と面接される状態で前記回転ガイドを回転させ、前記本体をなす物品と一体で提供する弾性片が含まれることを特徴とする無線ヘッドセット。
【請求項１７】
本体と、
前記本体で陥没形成されるイヤホンガイド溝と、
前記イヤホンガイド溝に安着することができ、前記本体に対して回転して引出されるイヤホンと、
前記イヤホンの引出状態で前記イヤホンが前記本体に対して離隔した状態を維持するためのスペーサと、
前記イヤホンと前記本体とを連結する部分に前記本体に対して二重射出により形成される弾性材質の変形部とが含まれ、
前記イヤホンの引出時に前記変形部は緩やかに曲がって前記イヤホンの引出をガイドすることを特徴とする無線ヘッドセット。
【請求項１８】
前記イヤホンの引出時に前記スペーサまたは前記変形部を掛かって前記イヤホンの引出状態を維持させ、前記本体の一定部分が収縮されて提供される係止段が含まれることを特徴とする請求項１７に記載の無線ヘッドセット。
【請求項１９】
棒形状で提供される本体と、
前記本体の延長方向に対して交差する方向に回転するイヤホンと、
前記イヤホンの引出状態で前記イヤホンが前記本体に対して離隔した状態を維持するために、前記イヤホンと前記本体との連結部に提供されるスペーサと、
少なくとも前記イヤホンの引出状態を維持するためのイヤホン位置ガイド構造が含まれることを特徴とする無線ヘッドセット。
【請求項２０】
本体と、
前記本体に対して回転して引出されるイヤホンと、
前記イヤホンの引出状態で前記イヤホンが前記本体に対して離隔した状態を維持するためのスペーサと、
前記イヤホンが１８０゜の範囲内で回転可能にし、少なくとも引出状態で停止状態を維持するようにする弾性ヒンジと、
が含まれることを特徴とする無線ヘッドセット。
【請求項２１】
棒形状で提供される本体と、
前記本体の断面形状を基準にしてどちら側の隅部に形成されるイヤホンガイド溝と、
前記イヤホンガイド溝の内部に受容されるイヤホンと、
前記イヤホンの引出状態で前記イヤホンが前記本体に対して離隔した状態を維持するために、前記イヤホンと前記本体との連結部に提供されるスペーサと、
前記イヤホンの引出状態で停止状態を維持するようにするためのイヤホン位置ガイド構造と、
が含まれることを特徴とする無線ヘッドセット。
【請求項２２】
少なくともブルートゥースモジュールが搭載される本体と、
前記本体の外面から内側へ陥没して形成されるイヤホンガイド溝と、
前記イヤホンガイド溝の内部に一定部分がガイドされて置かれるイヤホンと、
前記イヤホンが、前記本体に対して少なくとも引出状態及び／または引入状態で前記イヤホンの停止位置が維持されるようにするイヤホン位置ガイド構造が含まれ、
前記イヤホンガイド溝は、前記イヤホンを支持して前記イヤホンの過度な回転を防止することを特徴とする無線ヘッドセット。
【請求項２３】
本体と、
前記本体に対して回動され、前記本体の延長方向に対して垂直または水平方向に引出されるイヤホンと、
少なくとも前記イヤホンの引出状態及び／または引入状態で前記イヤホンの位置を停止位置に維持させるイヤホン位置ガイド構造と、
前記イヤホンの引出状態で前記イヤホンが前記本体に対して離隔した状態を維持するためのスペーサと、
前記イヤホン及び／またはイヤホン位置ガイド構造の動作を感知して前記無線ヘッドセットの電源供給を制御する回転感知部と、
が含まれることを特徴とする無線ヘッドセット。
【請求項２４】
前記イヤホン位置ガイド構造は、前記本体と前記イヤホンとの間の連結部に提供される弾性ヒンジが含まれることを特徴とする請求項２３に記載の無線ヘッドセット。
【請求項２５】
本体と、
前記本体の一端部から突出した形状で提供されて、前記本体に対して回動されるイヤホンと、
前記イヤホンの引出状態で前記イヤホンが前記本体に対して離隔した状態を維持するためのスペーサと、
前記イヤホンの引出及び／または引入状態で前記イヤホンの位置を停止状態に維持させるために、前記スペーサに形成されるストッパーと、
前記イヤホンの引出及び／または引入状態で前記イヤホンの位置を停止状態に維持させるために前記ストッパーと相互作用して前記ストッパーを支持する支持部と、
前記イヤホンの引出及び／または引入状態で、前記イヤホンの引出及び／または引入状態を支持する前記支持部の支持力を除去して、前記イヤホンを引入及び／または引出状態に復帰させる引出／引入動作部と、
前記イヤホンを引出及び／または引入状態から引入及び／または引出状態に復帰させるために、前記イヤホンと前記本体の連結部に提供されて、前記イヤホンの回動位置に弾性力を提供するストッパー側弾性部材と、
が含まれることを特徴とする無線ヘッドセット。
【請求項２６】
前記イヤホンの動作を感知して前記無線ヘッドセットの電源供給を制御する回転制御部が含まれることを特徴とする請求項２５に記載の無線ヘッドセット。
【請求項２７】
本体と、
前記本体の延長方向に対して垂直な方向に回転するイヤホンと、
前記イヤホンの引出状態で前記イヤホンが前記本体に対して離隔した状態を維持するためのスペーサと、
前記スペーサの端部に形成される回転軸と、
前記回転軸と共に回転し、少なくとも１つ以上の平面部が提供される多角形の回転ガイドと、
前記回転ガイドの平面部と面接する方向に前記回転ガイドを回転させる弾性力を提供する弾性部材と、
が含まれることを特徴とする無線ヘッドセット。
【請求項２８】
前記イヤホン及び／またはイヤホン位置ガイド構造の動作を感知して前記無線ヘッドセットの電源供給を制御する回転制御部が含まれることを特徴とする請求項２７に記載の無線ヘッドセット。
【請求項２９】
本体と、
前記本体に対して回動されるイヤホンと、
前記イヤホンと前記本体との間には前記イヤホンの引入状態に比べて前記イヤホンの引出状態で前記イヤホンと前記本体との距離が長く維持されるようにするスペーサと、
前記イヤホンと連結されて前記イヤホンと共に回転する回転部と、
前記回転部に連結され、少なくとも２つの陥没部が含まれる変形部と、
前記イヤホンの使用状態で前記イヤホンの位置を停止状態に維持させるように前記変形部と相互作用して前記回転部の回転を防止する回転防止部と、
が含まれることを特徴とする無線ヘッドセット。
【請求項３０】
前記イヤホンは、前記本体の外面に形成されるイヤホンガイド溝の内部に一部分が挿入されることを特徴とする請求項２９に記載の無線ヘッドセット。
【請求項３１】
前記イヤホンは、前記本体の延長方向に対して垂直または水平方向に引出されることを特徴とする請求項３０に記載の無線ヘッドセット。
【請求項３２】
前記イヤホン及び／または回転部の動作を感知して前記無線ヘッドセットの電源供給を制御する回転感知部が含まれることを特徴とする請求項３０に記載の無線ヘッドセット。
【請求項３３】
本体と、
前記本体に対して移動されるイヤホンと、
前記イヤホンの引出状態で前記イヤホンが前記本体に対して離隔した状態を維持するためのスペーサと、
前記イヤホンと連結されて前記イヤホンと共に移動される回転軸と、
前記回転軸の一側に形成される凹凸構造の変形部と、
前記変形部の凹凸構造と噛み合って前記回転軸の回転を防止する突出形状の回転防止部と、
前記回転防止部に前記変形部方向の弾性力を提供する弾性部材と、
が含まれることを特徴とする無線ヘッドセット。
【請求項３４】
前記イヤホン及び／または回転軸の動作を感知して前記無線ヘッドセットの電源供給を制御する回転感知部が含まれることを特徴とする請求項３３に記載の無線ヘッドセット。
【請求項３５】
本体と、
前記本体に対して移動されるイヤホンと、
前記イヤホンの引出状態で前記イヤホンが前記本体に対して離隔した状態を維持するためのスペーサと、
前記イヤホンと連結されて前記イヤホンと共に回転する回転軸と、
前記回転軸の一側に形成される歯車形態の変形部と、
前記変形部の歯と噛み合って前記回転軸の回転を防止するラッチ（Ratch）と、
前記ラッチを支持するラッチ支持軸と、
前記ラッチの回動位置に弾性力を提供する弾性部材と、
が含まれることを特徴とする無線ヘッドセット。
【請求項３６】
前記イヤホン及び／または回転軸の動作を感知して前記無線ヘッドセットの電源供給を制御する回転感知部が含まれることを特徴とする請求項３５に記載の無線ヘッドセット。
【請求項３７】
本体と、
前記本体に対して移動されるイヤホンと、
前記イヤホンの引出状態で前記イヤホンが前記本体に対して離隔した状態を維持するためのスペーサと、
前記イヤホンと連結されて前記イヤホンと共に移動される回転軸と、
前記回転軸の一側に形成される少なくとも２つの溝がある非円形の変形部と、
前記変形部の溝と締結されて前記回転軸の回転を防止する回転防止部と、
前記回転防止部が原位置を維持するように弾性力を提供する弾性部材と、
が含まれることを特徴とする無線ヘッドセット。
【請求項３８】
前記変形部は、引入状態と引出状態に対応する位置に前記溝が形成されたり、または、前記イヤホンの回転範囲と対応する３つ以上の位置に対応する溝が形成されることを特徴とする請求項３７に記載の無線ヘッドセット。
【請求項３９】
前記イヤホン及び／または回転軸の動作を感知して前記無線ヘッドセットの電源供給を制御する回転感知部が含まれることを特徴とする請求項３７に記載の無線ヘッドセット。
【請求項４０】
イヤホンが引出されるステップと、
前記イヤホンの引出が感知されて回転感知部が作動するステップと、
前記回転感知部により無線ヘッドセットが連結モードに転換されるステップと、
が含まれることを特徴とする無線ヘッドセットの制御方法。
【請求項４１】
イヤホンが引入されるステップと、
前記イヤホンの引入が感知されて回転感知部が作動するステップと、
前記回転感知部により無線ヘッドセットが待機モードに転換されるステップと、
が含まれることを特徴とする無線ヘッドセットの制御方法。
【発明の詳細な説明】
【技術分野】
【０００１】
本発明は、無線ヘッドセットに関し、より詳しくは、無線信号を送信する母体から分離された状態で、前記母体から受信される無線信号を受信して音波に変換して、使用者が線に拘束されなくて、また、ヘッドセットで聴取中にも両手を自由に使用することができるようにする無線ヘッドセット及び無線ヘッドセットの制御方法に関する。
【背景技術】
【０００２】
近来、携帯電話やＭＰ３などのような母体となる電子機器に附属して別途の無線ヘッドセットを更に使用することによって、使用者が携帯電話やＭＰ３のような機器を直接手に握っていない状態でも、このような機器が使用できることになった。このように、無線ヘッドセットの使用が可能になったことは、ブルートゥース（Bluetooth）、ＷＬＡＮ（Wireless Lan）、ＷＰＡＮ（Wireless Personal Area Network）、ＲＦＩＤ（Radio Frequency Identification）などの近距離無線通信技術の発展に起因したものである。
【０００３】
一方、前記無線ヘッドセットの一般的な形態は、前記無線ヘッドセットの装着位置が固定されるようにするために、前記無線ヘッドセットと一体で、または、分離可能形態で、耳殻と類似な構造の枠が提供された状態で、その枠が耳殻に支持されるようにする形態で使われた。しかしながら、このような構造は使用者が前記枠を自身の耳に掛かって回したり変形させたりする複雑な動作を通じてこれを着用しなければならない不便があり、正しい位置に着用することが容易でないという問題がある。また、前記枠により無線ヘッドセットの全体体積が大きくなり、前記枠の鉤形態の形状によりポケットなど、外部物体にかかる場合が頻繁になって好ましくない。
【０００４】
このような問題点により前記無線ヘッドセットを前記耳殻に掛かる必要なしにイヤホンを使用者の外耳道に挿入させる過程により無線ヘッドセットを着用するようにする製品も紹介されている。この場合、使用者が無線ヘッドセットを着用する動作は、無線ヘッドセットのイヤホンが直接使用者の耳柱と相手耳柱間の間隔部と、外耳道の内部空間に掛かる方式により遂行される。
【０００５】
このような前記無線ヘッドセットの従来技術では、大韓民国登録実用新案２０−０３９３２２７号のような技術が提案されたところがある。前記の技術は、無線ヘッドセットが使用者の耳に直接据置されるようにするだけでなく、無線ヘッドセットが使用中である時にはイヤホンが無線ヘッドセット本体の外側に突出するようにし、無線ヘッドセットを保管する時にはイヤホンが本体の中心部に陥没する所定の空間中に挿入されるようにする方式で動作される。
【０００６】
しかしながら、この方式によれば、無線ヘッドセットの内部に装着される部品の装着空間が狭くなる問題がある。言い換えると、イヤホンの挿入空間を確保するために、無線ヘッドセットの本体の中心部に大きい開孔が形成されなければならないので、無線ヘッドセットの動作に必要な多数の他の部品は前記開孔から外れる他の位置に置かれなければならないし、したがって、全ての部品が装着されるようにするために、無線ヘッドセットの大きさはそれほど大きくなるしかないのである。
【０００７】
また、イヤホンと直接連結されるイヤセットが長く提供された状態で、ヒンジに回動されるため、使用者が無線ヘッドセットを装着した状態ではイヤセットの他端部が外部に突出し、前記イヤセットの突出した部分に他の物品がかかることになれば、無線ヘッドセットが耳から抜け出る問題点が発生する。
【０００８】
また、トーションスプリングにより、イヤホンには一方に押される力が常に加えられているので、外部の弱い衝撃によってもイヤホンが外側に食み出す問題がある。したがって、無線ヘッドセットが正常に動作することが困難になる。
【０００９】
また、イヤホンが本体の内部に位置しているので、引出及び引入が容易でないという問題がある。
【００１０】
また、通話時度にイヤホンの引出とは別途に、手動でＯＮ／ＯＦＦボタンを押さえて作動させなければならない煩わしさがある。
【特許文献１】大韓民国登録実用新案２０−０３９３２２７号
【発明の開示】
【発明が解決しようとする課題】
【００１１】
本発明は、前記の問題を解決するために提案されるものであって、無線ヘッドセットが安定的に動作され、大きさが小さくなり、製造費が減り、機器が正常に動作され、外部の衝撃によっても定まった位置で、与えられた形状及び構造の通り安定的に置かれることができ、使用者の携帯が簡便になり、より便利に使用することができる無線ヘッドセットを提案することを目的とする。
【００１２】
無線ヘッドセットが耳に安定的に着用されて動作され、外部の衝撃があっても定まった位置で与えられた形状及び構造の通り安定的に固定され、大きさが小さくなり、製造費が減り、製作過程が簡単になり、使用者の携帯が簡便になり、使用者が別途の操作なしにイヤホンを引出させるだけで、ヘッドセットの使用が可能になり、イヤホンが本体の外部に突出した形状をなすことによって、イヤホンの引出が一層容易になり、イヤホンの引出／引入だけで、無線ヘッドセットの電源が制御されて、より便利で、かつ安定した無線ヘッドセットを提案することを目的とする。
【００１３】
無線ヘッドセットが少なくともイヤホンの引入及び／または引出状態で位置が固定されて、使用者の耳に安定的に着用されることによって、無線ヘッドセットの携帯、保管及び使用が簡便になり、また、イヤホンの固定位置が多様な角度で提供されていて、使用者が自身の好みに合う固定位置を選択することができる無線ヘッドセットを提案することを目的とする。
【課題を解決するための手段】
【００１４】
前記の目的を達成するための本発明に係る無線ヘッドセットは、長い棒形状で提供される本体と、前記本体の上段部及び下段部のうち、いずれかの一端部側に提供されて前記本体に対して回動されるイヤホンと、前記イヤホンが前記本体に対して引出状態及び／または引入状態及び／または引入状態と引出状態との間でその停止位置が維持されるようにするイヤホン位置ガイド構造と、が含まれる。
【００１５】
他の形態による本発明の無線ヘッドセットは、本体と、前記本体の外部から内側へ陥没形成されるイヤホンガイド溝と、前記イヤホンガイド溝に安着することができ、前記本体に対して畳まれる方向に回転して引出されるイヤホンと、少なくとも前記イヤホンの引出状態及び／または引入状態で前記イヤホンの位置を停止状態に維持させるイヤホン位置ガイド構造と、前記イヤホンの引出状態で前記イヤホンが前記本体に対して離隔した状態を維持するためのスペーサと、が含まれる。
【００１６】
更に他の形態による本発明の無線ヘッドセットは、棒形状で提供される本体と、前記本体の外部から内側へ陥没形成されるイヤホンガイド溝と、前記イヤホンガイド溝に安着するイヤホンと、少なくとも前記イヤホンの引出状態で前記イヤホンの位置を停止状態に維持させるために前記イヤホンと前記本体の連結部に提供されて前記イヤホンの回動位置に弾性力を提供する弾性ヒンジと、前記イヤホンの引出状態で前記イヤホンが前記本体に対して離隔した状態を維持するためのスペーサと、が含まれる。
【００１７】
更に他の形態による本発明の無線ヘッドセットは、本体と、前記本体に対して回動されて外側に引出されるイヤホンと、前記イヤホンは前記本体に対する停止位置が維持されるようにするイヤホン位置ガイド構造と、前記本体に結合され、前記本体を据置するためのクリップと、が含まれる。
【００１８】
更に他の形態による本発明の無線ヘッドセットは、本体と、前記本体で陥没形成されるイヤホンガイド溝と、前記イヤホンガイド溝に安着することができ、前記本体に対して回転して引出されるイヤホンと、前記イヤホンの引出状態で前記イヤホンが前記本体に対して離隔した状態を維持するためのスペーサと、前記スペーサの端部に形成される回転軸と、前記回転軸と共に回転し、少なくとも１つ以上の平面部が提供される多角形の回転ガイドと、前記回転ガイドの平面部と面接する方向に前記回転ガイドを回転させる弾性力を提供する弾性部材と、が含まれる。
【００１９】
更に他の形態による本発明の無線ヘッドセットは、本体と、前記本体で陥没形成されるイヤホンガイド溝と、前記イヤホンガイド溝に安着することができ、前記本体に対して回転して引出されるイヤホンと、前記イヤホンの引出状態で前記イヤホンが前記本体に対して離隔した状態を維持するためのスペーサと、前記スペーサの端部に形成される回転軸と、前記回転軸と等角回転するガイド板と、前記ガイド板の中心と等距離に提供される少なくとも１つの係止部と、前記係止部に選択的に係止される挿入口と、前記挿入口を前記係止部側に押圧する弾性部材と、が含まれる。
【００２０】
更に他の形態による本発明の無線ヘッドセットは、本体と、前記本体で陥没形成されるイヤホンガイド溝と、前記イヤホンガイド溝に安着することができ、前記本体に対して回転して引出されるイヤホンと、前記イヤホンの引出状態で前記イヤホンが前記本体に対して離隔した状態を維持するためのスペーサと、前記スペーサと共に回転する回転軸と、前記回転軸と共に回転する少なくとも１つの平面部が含まれる回転ガイドと、前記回転ガイドの平面部と面接される状態で前記回転ガイドを回転させる弾性片とが含まれる。
【００２１】
更に他の形態による本発明の無線ヘッドセットは、本体と、前記本体で陥没形成されるイヤホンガイド溝と、前記イヤホンガイド溝に安着することができ、前記本体に対して回転して引出されるイヤホンと、前記イヤホンの引出状態で前記イヤホンが前記本体に対して離隔した状態を維持するためのスペーサと、前記イヤホンと前記本体とを連結する部分に形成される弾性材質の変形部とが含まれ、前記イヤホンの引出時に前記変形部は緩やかに曲がって前記イヤホンの引出をガイドすることを特徴とする。
【００２２】
更に他の形態による本発明の無線ヘッドセットは、棒形状で提供される本体と、前記本体の延長方向に対して垂直する方向に回転するイヤホンと、前記イヤホンの引出状態で前記イヤホンが前記本体に対して離隔した状態を維持するために、前記イヤホンと前記本体との連結部に提供されるスペーサと、が含まれる。
【００２３】
更に他の形態による本発明の無線ヘッドセットは、本体と、前記本体に対して回転して引出されるイヤホンと、前記イヤホンの引出状態で前記イヤホンが前記本体に対して離隔した状態を維持するためのスペーサと、前記イヤホンが１８０゜の範囲内で回転可能にし、少なくとも引出状態で停止状態を維持するようにする弾性ヒンジと、が含まれる。
【００２４】
更に他の形態による本発明の無線ヘッドセットは、長い棒形状で提供される本体と、前記本体の断面形状を基準にしてどちら側の隅部に形成されるイヤホンガイド溝と、前記イヤホンガイド溝の内部に受容されるイヤホンと、前記イヤホンの引出状態で前記イヤホンが前記本体に対して離隔した状態を維持するために、前記イヤホンと前記本体との連結部に提供されるスペーサと、が含まれる。
【００２５】
更に他の形態による本発明の無線ヘッドセットは、少なくともブルートゥースモジュールが搭載される本体と、前記本体の外面から内側へ陥没して形成されるイヤホンガイド溝と、前記イヤホンガイド溝の内部に一定部分がガイドされて置かれるイヤホンと、前記イヤホンが、前記本体に対して少なくとも引出状態及び／または引入状態で前記イヤホンの停止位置が維持されるようにするイヤホン位置ガイド構造が含まれ、前記イヤホンガイド溝は、前記イヤホンを支持して前記イヤホンの過度な回転を防止する。
【００２６】
更に他の形態による本発明の無線ヘッドセットは、本体と、前記本体に対して回動され、前記本体の延長方向に対して垂直または水平方向に引出されるイヤホンと、少なくとも前記イヤホンの引出状態及び／または引入状態で前記イヤホンの位置を停止位置に維持させるイヤホン位置ガイド構造と、前記イヤホンの引出状態で前記イヤホンが前記本体に対して離隔した状態を維持するためのスペーサと、前記イヤホン及び／またはイヤホン位置ガイド構造の動作を感知して前記無線ヘッドセットの電源供給を制御する回転感知部と、が含まれる。
【００２７】
更に他の形態による本発明の無線ヘッドセットは、本体と、前記本体の一端部から突出した形状で提供されて、前記本体に対して回動されるイヤホンと、前記イヤホンの引出状態で前記イヤホンが前記本体に対して離隔した状態を維持するためのスペーサと、前記イヤホンの引出及び／または引入状態で前記イヤホンの位置を停止状態に維持させるために、前記スペーサに形成されるストッパーと、前記イヤホンの引出及び／または引入状態で前記イヤホンの位置を停止状態に維持させるために前記ストッパーと相互作用して前記ストッパーを支持する支持部と、前記イヤホンの引出及び／または引入状態で、前記イヤホンの引出及び／または引入状態を支持する前記支持部の支持力を除去して、前記イヤホンを引入及び／または引出状態に復帰させる引出／引入動作部と、前記イヤホンを引出及び／または引入状態から引入及び／または引出状態に復帰させるために、前記イヤホンと前記本体の連結部に提供されて、前記イヤホンの回動位置に弾性力を提供するストッパー側弾性部材と、が含まれる。
【００２８】
更に他の形態による本発明の無線ヘッドセットは、本体と、前記本体の延長方向に対して垂直な方向に回転するイヤホンと、前記イヤホンの引出状態で前記イヤホンが前記本体に対して離隔した状態を維持するためのスペーサと、前記スペーサの端部に形成される回転軸と、前記回転軸と共に回転し、少なくとも１つ以上の平面部が提供される多角形の回転ガイドと、前記回転ガイドの平面部と面接する方向に前記回転ガイドを回転させる弾性力を提供する弾性部材と、が含まれる。
【００２９】
更に他の形態による本発明の無線ヘッドセットは、本体と、前記本体に対して回動されるイヤホンと、前記イヤホンと前記本体との間には前記イヤホンの引入状態に比べて前記イヤホンの引出状態で前記イヤホンと前記本体との距離が長く維持されるようにするスペーサと、前記イヤホンと連結されて前記イヤホンと共に回転する回転部と、前記回転部に連結され、少なくとも２つの陥没部が含まれる変形部と、前記イヤホンの使用状態で前記イヤホンの位置を停止状態に維持させるように前記変形部と相互作用して前記回転部の回転を防止する回転防止部と、が含まれる。
【００３０】
更に他の形態による本発明の無線ヘッドセットは、本体と、前記本体に対して移動されるイヤホンと、前記イヤホンの引出状態で前記イヤホンが前記本体に対して離隔した状態を維持するためのスペーサと、前記イヤホンと連結されて前記イヤホンと共に移動される回転軸と、前記回転軸の一側に形成される凹凸構造の変形部と、前記変形部の凹凸構造と噛み合って前記回転軸の回転を防止する突出形状の回転防止部と、前記回転防止部に前記変形部方向の弾性力を提供する弾性部材と、が含まれる。
【００３１】
更に他の形態による本発明の無線ヘッドセットは、本体と、前記本体に対して移動されるイヤホンと、前記イヤホンの引出状態で前記イヤホンが前記本体に対して離隔した状態を維持するためのスペーサと、前記イヤホンと連結されて前記イヤホンと共に回転する回転軸と、前記回転軸の一側に形成される歯車形態の変形部と、前記変形部の歯と噛み合って前記回転軸の回転を防止するラッチ（Ratch）と、前記ラッチを支持するラッチ支持軸と、前記ラッチの回動位置に弾性力を提供する弾性部材と、が含まれる。
【００３２】
更に他の形態による本発明の無線ヘッドセットは、本体と、前記本体に対して移動されるイヤホンと、前記イヤホンの引出状態で前記イヤホンが前記本体に対して離隔した状態を維持するためのスペーサと、前記イヤホンと連結されて前記イヤホンと共に移動される回転軸と、前記回転軸の一側に形成される少なくとも２つの溝がある非円形の変形部と、前記変形部の溝と締結されて前記回転軸の回転を防止する回転防止部と、前記回転防止部が原位置を維持するように弾性力を提供する弾性部材とが含まれる。
【００３３】
更に他の形態による本発明の無線ヘッドセットの制御方法は、イヤホンが引出されるステップと、前記イヤホンの引出が感知されて回転感知部が作動するステップと、前記回転感知部により無線ヘッドセットが連結モードに転換されるステップと、が含まれる。
【００３４】
更に他の形態による本発明の無線ヘッドセットの制御方法は、イヤホンが引入されるステップと、前記イヤホンの引入が感知されて回転感知部が作動するステップと、前記回転感知部により無線ヘッドセットが待機モードに転換されるステップと、が含まれる。
【００３５】
提案される本発明により、無線ヘッドセットが動作安全性が増大し、大きさが小さくなり、製造費が減り、携帯が簡便になり、より便利に使用することができる長所が得られる。
【００３６】
また、イヤホンの引出及び／または引入により前記無線ヘッドセットが自動にＯＮ／ＯＦＦされて使用が便利になる長所が得られる。
【発明の効果】
【００３７】
本発明に係る無線ヘッドセットにより、無線ヘッドセットが安定的に動作され、機器が正常に動作され、不意の外部の衝撃によっても指示された位置で与えられた位置及び構造で安定的に置かれることができる長所がある。
【００３８】
また、無線ヘッドセットの大きさが小さくなり、製造費が減る長所が得られ、無線ヘッドセットの内部空間活用度が高まる長所が得られる。
【００３９】
また、使用者の携帯が簡便になる長所が得られ、使用者は長い棒形状の本体を握った状態で、イヤホンのみを指で操作すればいいため、より便利に無線ヘッドセットを使用することができる長所がある。
【００４０】
また、イヤホンの引出／引入だけで、無線ヘッドセットの電源が制御されて、より容易で、便利で、かつ、速かに無線ヘッドセットを使用することができる。
【発明を実施するための最良の形態】
【００４１】
以下、図面を参照しつつ本発明の具体的な実施形態を詳細に説明する。但し、本発明の思想は提示される実施形態に限るのでなく、本発明の思想を理解する当業者は同一な思想の範囲内に含まれる他の実施形態を構成要素の付加、変更、削除、及び追加などにより、容易に提案することができるが、これもまた本発明の思想の範囲内に含まれるはずである。
【００４２】
（第１実施形態）
図１は本発明に係る無線ヘッドセットの斜視図であり、図２は図１のII−II’の断面図であり、図３は図１のI−I’の断面図である。
【００４３】
図１乃至図３を参照すれば、本発明に係る無線ヘッドセット１は長い棒形で提供される本体２と、前記本体２の上段部に回転可能に装着されるイヤホン６が提供される。したがって、使用者は前記本体２を片手で握った状態で前記本体２を握った手の指で前記イヤホン６を操作する動作により、前記無線ヘッドセット１を便利に操作することができる。
【００４４】
前記本体２の外面には使用者が音量を調節する音量調整部４と、無線ヘッドセット１を使用者が便利に据置するようにするクリップ５と、使用者の音声を受信するマイク部３と、無線ヘッドセット１の電源を付けたり消すことに使われるオン／オフボタン１０が形成される。そして、前記本体２のいずれかの一側にはバッテリー１１を充電するための充電端子が更に提供されることができる。
【００４５】
また、前記本体２の内部にはＭＰ３プレーヤーまたは携帯電話などのような母体との無線通信を遂行するブルートゥースモジュールと、前記ブルートゥースモジュールにより送受信される信号を増幅する増幅回路と、増幅された信号を音波を表す所定の電気信号に再生する再生回路が内蔵されることはもちろんであり、これらの各々の構成要素により無線ヘッドセットの動作が遂行されることももちろんである。前記各回路は、前記本体２の内部に置かれる所定の基板１２上に提供されることが好ましい。
【００４６】
そして、前記イヤホン６の内部には電気信号を空気の振動により音響信号で再生するスピーカ装置が内蔵される。そして、前記イヤホン６の端部には軟性材質の挿入部材が形成されて、使用者の耳に前記挿入部材が挿入されれば、柔らかく変形されることによって、前記挿入部材が一旦耳に挿入されれば、挿入状態が堅く維持されることができる。したがって、無線ヘッドセット１が耳に据置されるようにするための耳殻と類似な形態及び形式のいかなる枠を必要としなくなる。
【００４７】
前記のような構造により、使用者は前記本体２を片手で握った状態で前記本体２を握った手の指で前記イヤホン６を操作する動作によって、前記無線ヘッドセット１を便利に操作することができる。即ち、前記イヤホン６が前記本体２から突出している形状をなしているので、前記無線ヘッドセット１の操作が一層容易になる。
【００４８】
一方、本発明に係る無線ヘッドセット１は、イヤホン６の移動状態が便利に提供されることを特徴とするが、以下では、それと関連する構成をより詳細に説明する。
【００４９】
前記イヤホン６と前記本体２との連結部分にはイヤホン６と本体２との間に所定長さの間隔を提供するスペーサ７が棒形状で提供され、前記本体２には前記イヤホン６の位置をガイドするイヤホンガイド溝８と前記スペーサ７の位置をガイドするスペーサガイド溝９が形成される。
【００５０】
詳しくは、前記スペーサ７は無線ヘッドセット１の使用状態で前記イヤホン６が外側に引出される際、イヤホン６が使用者の耳の中に挿入される際、前記本体２が使用者の耳に掛かって干渉を起こして装着に邪魔になることを防止するためのものである。言い換えると、前記スペーサ７によって無線ヘッドセット１が使用者の耳に掛かる際、使用者の耳と本体２との間に一定程度の距離を置いて維持されるようにするためのものである。そして、前記イヤホンガイド溝８は、前記無線ヘッドセット１が保管状態で前記イヤホン６が本体１に対して隣接する状態で受納される際、イヤホン６の定着位置を提供するために長い棒形状の前記本体２の端部から内部に広幅で陥没形成される部分である。そして、前記スペーサガイド溝９は、前記無線ヘッドセット１が使われるために、前記イヤホン６が前記本体２から引出されたり、前記イヤホン６の引出された状態でスペーサ７の移動をガイドするためのものである。
【００５１】
また、図面において、前記イヤホン６の頭部は前記イヤホンガイド溝８の外側に引出された部分が大きく提供されていることと図示されているが、本発明の思想はこれに限るのでなく、前記イヤホン６は前記イヤホンガイド溝８の内側に大部分が受容されていることができる。但し、使用者が前記イヤホン６は外側に引出す際、イヤホン６を使用者が容易に操作することができるようにするために、前記イヤホン６の少なくとも一部分は前記イヤホンガイド溝８の外側に一定部分が露出することが好ましい。このように、長い棒形状で提供される本体２の端部に前記イヤホン６が提供されることによって、使用者は目で見なくても長い棒の端部からイヤホン６を触覚により認知してこれを外側に引出す動作だけでも前記イヤホン６を容易に引出して無線ヘッドセット１を使用状態にすることができる。
【００５２】
一方、前記イヤホン６は、本体２に対してヒンジ回動が可能な状態で提供されるが、前記イヤホン６はヒンジ回動が可能で、かつ、イヤホン６が前記イヤホンガイド溝８にガイドされて受容された状態の位置と、イヤホン６が外部に引出された状態の位置が正確にガイドされる。
【００５３】
また、前記イヤホン６は、図６に示すように、本体２で回転して固定の際、本体２の上面の延長線（Ｃ１）に対してイヤホン２の中心線（Ｃ２）の角度（Ａ）が５〜２０゜の角度で傾斜するように形成され、好ましくは１０〜１５゜で形成され、前記イヤホン６は本体２で回転して固定の際、イヤホン６の底面と本体の上面との間のオフセット（offset）（Ｂ）が２〜８ｍｍで形成され、好ましくは４〜５ｍｍで形成される。図６は、本発明の第１実施形態に係る無線ヘッドセットのイヤホンの角度及びオフセットを説明する図である。
【００５４】
以下、前記イヤホン６の位置をガイドするイヤホン位置ガイド構造をより詳細に説明する。
【００５５】
まず、前記スペーサ７の下段部には回転軸２１が前記スペーサ７の延長方向に対して垂直方向に形成されており、前記回転軸の端部にはカム２２が形成される。そして、前記カム２２にはスタッド２３が接しており、前記スタッド２３の端部には弾性部材２４が更に連結されている。
【００５６】
前記したような構造により、前記スタッド２３は前記弾性部材２４により上方に上げられる力を常に提供受けることになり、前記スタッド２３の上段は前記カム２２に常に接した状態で前記カム２２が一定の回転角度で置かれるようにする力を提供する。したがって、前記イヤホン６が回転する時には前記回転軸２１を経由して前記カム２２が回転するようにし、前記カム２２は非円形で製作されて前記スタッド２３により押し上げられて一定の位置にイヤホン６が常に移動されるようにする力を提供する。前記カム２２と前記スタッド２３の相互作用により前記イヤホン６が安定した状態で置かれる位置は、前記イヤホン６が前記イヤホンガイド溝８に受容された状態で無線ヘッドセット１が使われない状態であるとか、前記イヤホン６が外側に完全に引出された状態で無線ヘッドセット１が使用中の状態でありうる。そして、その中の位置ではカム２２が不安定な位置に置かれているために、常にいずれか一方に回転する力を提供する。
【００５７】
このようなイヤホンの位置ガイド構造により、前記無線ヘッドセット１が動作されない場合、言い換えると、前記イヤホンガイド溝８の内部にイヤホン６が受容された状態では、ある程度の外力が加えられなければ、前記カム２２と前記スタッド２３の相互作用により前記イヤホン６が外側に引出されない。したがって、ポケットやかばんに無線ヘッドセット１が受容された状態で、外部に加えられる衝撃によっても前記イヤホン６が引出されない長所を期待することができる。このような構造によって前記イヤホン６の衛生状態が改善され、使用者の便宜性が改善され、無線ヘッドセット１の動作安全性が増大する長所を期待することができる。
【００５８】
一方、前記イヤホンガイド溝８及び／またはスペーサガイド溝９は、前記イヤホン位置ガイド構造によって引入状態に向かって後に反り返るイヤホン６及びスペーサ７が後方に更に繰り越さないで、前記イヤホンガイド溝８によりガイドされた状態で定位置に正確に止めるようにする役割を更に遂行することができる。
【００５９】
前記の構造を参照しつつ本発明に係る動作乃至作用をより詳細に説明する。
【００６０】
まず、前記無線ヘッドセット１が使用待機中の状態を重点的に説明する。前記無線ヘッドセット１は携帯電話と同様に、使用者が続けて使用することが一般的な状態であって、いつでも使用者の手が着くことができる位置に置かれることが好ましい。このため、前記無線ヘッドセット１の本体２のどの一側にはクリップ５が形成されている。前記クリップ５は別途の物品として前記本体２の一側に固定されている。そして、棒形状本体２のどの一端部から他端部に延びる形態としてのクリップ５はその自体としてある程度変形自在である。したがって、使用者はシャツのポケットなどの隅に前記クリップ５を利用して無線ヘッドセット１を容易に据置できることになる。そして、携帯電話に電話がかかって来る等、無線ヘッドセット１を使用しようとする時には無線ヘッドセット１を容易に引出して使用することができる。
【００６１】
もちろん、図面に提示される前記クリップ５は、一実施形態に過ぎないので、前記本体２に一体で提供される等、多様な様態で提供されることができる。
【００６２】
前記クリップ５は、本発明が無線ヘッドセット１が棒形状で提供される場合に、その使用性がより改善されるものであって、無線ヘッドセット１がボールペンなどのような形態で使われる場合にポケットなどに掛かって据置されることにより、その使用性が一層改善されることができる。
【００６３】
また、前記無線ヘッドセット１が使用待機中の状態では、前記イヤホン６は本体に受容された状態であって、前記イヤホンガイド溝８の内部に受容されている。そして、前記無線ヘッドセット１の延長方向と同一な方向である一方向に置かれていることができるため、外部の物品により邪魔になる虞のない長所がある。延いては、イヤホン６が外界の他の物品に掛かってもイヤホン位置ガイド構造により位置が安定的に支持されているため、イヤホン６が外側に引出されることはない。このような安定した構造によって無線ヘッドセット１の動作上の安全性が改善される長所が得られる。
【００６４】
前記無線ヘッドセット１が使われる過程をより詳細に説明する。
【００６５】
携帯電話などへの呼出に応じて、無線ヘッドセット１を使用しようとする時には、クリップ５の据置状態を除去して無線ヘッドセット１を引出し、前記イヤホン６を回転させて外部に引出すことになる。前記イヤホン６の引出過程をより詳細に説明すれば、使用者が前記本体２を握っている手で前記イヤホンガイド溝８の外側に突出しているイヤホン６の一部分を押すことになる。すると、前記イヤホン６は回転軸２１を中心に回転することになり、前記イヤホン６はカム２２及びスタッド２３の相互作用により軽快に回転して外側に引出される。
【００６６】
このように、イヤホン６がより軽快に外側に引出できるので、使用者の便宜性は一層改善される長所が得られる。そして、一旦イヤホン６が引出された後には使用者が引出す時と同一な力でイヤホン６を内側に引入する前まではイヤホン６は前記カム２２と前記スタッド２３との間で作用する力によって引出された位置で固定されている。したがって、使用者が耳にイヤホン６を挿入する時にも前記イヤホン６は揺れなしに引出位置を正確に維持することができる。したがって、イヤホン６の挿入動作がより正確で、かつ便利になされることになる。
【００６７】
また、イヤホン６が引出された状態では前記スペーサ７が一定の長さ以上に延長されているため、使用者がイヤホン６を耳に挿入した状態では耳殻などの耳の外側構造に前記本体２が干渉を起こさない。したがって、無線ヘッドセット１の挿入位置がより堅くて、かつ安定に維持されることができる。前記スペーサ７の長さは説明されたような目的に適合した長さで形成されることができる。そして、スペーサ７はスペーサガイド溝９により案内されているので、外部の衝撃が加えられても、イヤホン８が破損することを防止することができる。言い換えると、スペーサ７とスペーサガイド溝９が互いに対応しているため、イヤホン６に外部の衝撃が加えられても前記カム２２と回転軸２１とスタッド２３に加えられる衝撃量は顕著に減る長所が得られるのである。もちろん、前記スペーサガイド溝９により前記スペーサ７の引出及び引入動作が案内されることは当然である。
【００６８】
また、前記イヤホン６が完全に引出された後には前記オン／オフボタン１０を動作して無線ヘッドセット１の動作を開始することもでき、使用が終わった後にはオン／オフボタン１０をまた押さえて無線ヘッドセット１の使用を終了させることができる。そして、使用中に音量を調節しようとする時には前記音量調節部４により音量を調節できることももちろんである。延いては、イヤホン６が完全に引出された後に、別途にオン／オフボタン１０を操作する必要なしに前記イヤホン６を引出す動作だけでも前記無線ヘッドセット１を動作状態に操作することができる。例えば、イヤホン６の引出位置を感知することにより、自動で無線ヘッドセット１が動作状態になるようにすることができる。このために、前記カム２２による前記スタッド２３の押圧状態を感知するセンサー、または、前記スペーサガイド溝９の内部に形成されて、スペーサ７の移動を感知するセンサーなどのような多様な様態のセンサーが設けられるように使われることができる。このようなセンサーは本発明の無線ヘッドセット１で前記イヤホン６が回動される動作を感知することにより、動作できるものであって、本発明のようにイヤホン６が引出されたり引入される方式で形成される無線ヘッドセット１の使用性をより高めることができ、使用者の便宜性を高めることができる長所がある。
【００６９】
前記無線ヘッドセット１の使用が終了されて、前記イヤホン６を内側に引入しようとする時には、前記イヤホン６を内側に回転させればよい、前記イヤホン６の引出動作と反対に動作すればよいので、その詳細は省略する。
【００７０】
前記イヤホン６の引入及び引出動作は、図３乃至図５により明確に分かる。
【００７１】
一方、前記の説明で簡単に説明したように、前記イヤホン６は保管状態では前記本体２の延長方向と同一な方向に延長されており、前記イヤホン６の使用状態では前記本体２の延長方向に対して折れる動作、言い換えると、前記本体２に対して畳まれる方向に回転することになる。したがって、前記イヤホン６と前記本体２の距離は一層遠ざかることになり、使用者の耳と前記本体２との干渉はより減る長所が得られる。
【００７２】
また、詳細に説明してはいないが、前記イヤホン６に電気信号を伝達するために前記イヤホン６が前記基板１２を連結するフレキシブル基板（ＦＰＣＢ）等のような所定の連結構造が提供できることは当然である。
【００７３】
また、前記マイク部３は使用者の口と最も近い無線ヘッドセット１の下段部に形成されて使用者の音声がより効率よく感知できるようにする。
【００７４】
本発明によれば、前記イヤホン６はペン形状であって、どの一方向に長く提供される無線ヘッドセット１のどの端部から無線ヘッドセット１の長手方向に延び、畳まれる方向に回動される構造となっているため、構造的な便宜性が改善される長所が得られる。また、無線ヘッドセット１の内側の空間に装着されないので、本体２の内部部品の設置上の便宜性と空間効率性が増進する長所があり、これで、無線ヘッドセット１の大きさが一層小さくなる長所が得られる。
【００７５】
（第２実施形態）
本発明の第２実施形態は、他の部分は第１実施形態と同一であり、但し、前記イヤホンの位置ガイド構造が特徴的に変わる。したがって、本実施形態の説明において、その説明のない部分は前記第１実施形態の説明を援用するようにし、詳細な説明は省略する。そして、図面番号においても、第１実施形態と同一な構成要素に対しては同一な番号を与えて説明する。
【００７６】
図７と図８は、本発明の第２実施形態に係る無線ヘッドセットの垂直断面図であって、無線ヘッドセットを切断する角度は前記図２及び図３と同一である。
【００７７】
図７と図８を参照すれば、本実施形態に係るイヤホン位置ガイド構造はフォルダタイプ携帯電話のフォルダの回転のためのヒンジ構造と類似な構造であって、スペーサ７と本体２との連結部に弾性ヒンジ３０が形成されている。
【００７８】
前記弾性ヒンジ３０の構造を詳細に説明する。本実施形態に係る弾性ヒンジ３０は外部ケースをなすヒンジ胴体３１と、前記ヒンジ胴体３１の内壁に安着する弾性部材３４が含まれ、前記弾性部材３４の内側部分に挿入される多角形の回転ガイド３３と、前記回転ガイド３３及び前記スペーサ７と等角度で回転する回転軸３２が含まれる。
【００７９】
したがって、前記イヤホン６が回転して前記イヤホンガイド溝８から外側に引出される時には、前記回転軸３２及び回転ガイド３３が回転し、前記回転ガイド３３の回転動作は、前記弾性部材３４によって、回転角度が制御される。言い換えると、前記回転ガイド３３は少なくとも１つの平面が含まれる多角形で提供されるため、前記弾性部材３４は回転ガイド３３の平面と対応できる角度で前記回転軸３２を回転させることになる。このような動作構造において、前記回転ガイド３３と対応する平面は前記イヤホン６が完全に引出された状態で前記弾性部材３４と互いに対向する位置と、前記イヤホン６が完全に引入された状態で前記弾性部材３４と互いに対向する位置には少なくとも形成されることが好ましい。
【００８０】
これによって、前記イヤホン６は前記第１実施形態と同様に、前記イヤホンガイド溝８に対する引出状態及び引入状態の位置が堅く支持されることができる。
【００８１】
（第３実施形態）
本発明の第３実施形態は、他の部分は第１実施形態と同一であり、但し、前記イヤホンの位置ガイド構造が特徴的に変わる。したがって、本実施形態の説明において、その説明のない部分は前記第１実施形態の説明を援用するようにし、詳細な説明は省略する。そして、図面番号においても、第１実施形態と同一な構成要素に対しては同一な番号を与えて説明する。
【００８２】
図９と図１０は、本発明の第３実施形態に係る無線ヘッドセットの垂直断面図であって、無線ヘッドセットを切断する角度は前記図２及び図３に従う。
【００８３】
図９と図１０を参照すれば、本実施形態に係るイヤホン位置ガイド構造にはスペーサ７と本体２との連結部に弾性ヒンジが提供されている。
【００８４】
前記弾性ヒンジの構造を詳細に説明する。本実施形態に係る弾性ヒンジは、前記スペーサ７の下段部に形成される回転軸５１と、前記回転軸５１と等角度で回転する回転ガイド５２と、前記回転ガイド５２と接する弾性片５３とからなる。
【００８５】
より詳しくは、前記回転軸５１と前記回転ガイド５２は、互いに同一に回転する物品であって、前記回転ガイド５２は少なくとも１つ以上の平面が含まれる多角形で提供される。そして、前記弾性片５３は前記本体２をなすいかなる物品と一体で提供される物品であって、弾性力を提供できるようにするために、少なくとも一方向に折り曲げられる構造で提供された状態で所定の弾性力を発揮することができる。そして、前記本体２が樹脂材で提供される場合には、前記弾性片５３も樹脂材で提供されることによって、製作の便宜を期することができる。もちろん、前記弾性片５３が本体２とは別途の物品として前記本体２に挟まれる形態で提供されることができるが、好ましくは、前記本体２をなすいかなる物品と一体の物品として本体２が製作される際、一度に製作されるようにすることが製造費の低減や製作の便宜のために好ましいことはもちろんである。
【００８６】
本実施形態の作用を説明すれば、前記イヤホン６が回転して前記イヤホンガイド溝８から外側に引出される時には前記回転軸５１及び回転ガイド５２が回転し、前記回転ガイド５２の回転角度は前記弾性片５３により制御される。言い換えると、前記回転ガイド５２の断面には少なくとも１つ以上の平面が含まれる多角形で提供されるため、前記弾性片５３は回転ガイド５２の平面と対応できる角度で前記回転軸５１を回転させることになる。このような動作構造において、前記回転ガイド５２と対応する平面は前記イヤホン６が完全に引出された状態で前記弾性片５３と互いに対向する位置と、前記イヤホン６が完全に引入された状態で前記弾性部材５３と互いに対向する位置には少なくとも形成されるようにして、前記イヤホン６の引入位置と引出位置が正確にガイドされるようにすることが好ましい。
【００８７】
もちろん、前記回転ガイド５２の平面が２つ以上提供される場合には、前記イヤホン６の停止位置がより多様な場合の数で提供されることもできるが、この場合にはイヤホン６が多様な位置に置かれた状態で使用者の耳に定着させようとする場合に、より積極的に対応できる長所が得られるのである。
【００８８】
（第４実施形態）
本発明の第４実施形態は、他の部分は第１実施形態と同一であり、但し、前記イヤホンの位置ガイド構造が特徴的に変わる。したがって、本実施形態の説明において、その説明のない部分は前記第１実施形態の説明を援用するようにし、詳細な説明は省略する。そして、図面番号においても第１実施形態と同一な構成要素に対しては同一な番号を与えて説明する。
【００８９】
図１１と図１２は、本発明の第４実施形態に係る無線ヘッドセットの垂直断面図であって、無線ヘッドセットを切断する角度は前記図２及び図３に従う。
【００９０】
図１１と図１２を参照すれば、前記スペーサ７の下段部に形成される回転軸４１と、前記回転軸４１の少なくともどの一側に形成されて前記回転軸４１と同一な中心軸で回転するガイド板４２と、前記ガイド板４２の回転中心に対して放射状で同一な距離に形成される係止部４５と、前記係止部４５に少なくとも一部分が挿入された状態で、前記ガイド板４２の回転を停止させることができる挿入口４４と、前記挿入口４４を押して前記挿入口４４が前記係止部４５に整列されるようにする弾性部材４３とが含まれる。前記係止部４５は前記ガイド板４２に加工される溝の形状で提供されることができる。
【００９１】
本実施形態の動作を説明すれば、まず前記挿入口４４が特定の前記係止部４５と整列された状態では前記挿入口４４は係止部４５の回転に対して抵抗力を発揮するため、前記ガイド板４２は一定の程度以下の外力に対しては回転できなくて拘束される。この状態で、前記イヤホン６が外力により引出されたり引入される方向に回転すれば、前記回転軸４１及びガイド板４２が共に回転し、前記ガイド板４２が回転すれば、前記挿入口４４と整列される係止部４５は変わることになる。言い換えると、前記係止部４５が多数個提供されている際、前記挿入口４４と整列される係止部４５は前記ガイド板４２の回転角度によって互いに変わることになる。
【００９２】
このような作用によって、前記イヤホン６が完全に引出された状態と完全に引入された状態で、前記挿入口４４と整列される位置で前記係止部４５が提供さえされれば、前記イヤホン６の引入状態と引出状態は安定に維持できることになる。延いては、仮りに複数個の係止部４５が提供される場合であれば、前記第３実施形態と同様に使用者が希望する状態の通り、前記イヤホン６の停止位置が操作できる長所が得られるのである。図面では前記係止部４５が４個が提供されて、使用者は４つの停止位置にイヤホン６を位置させることができる。
【００９３】
（第５実施形態）
本発明の第５実施形態は、他の部分は第１実施形態と同一であり、但し、前記イヤホンの位置ガイド構造が特徴的に変わる。したがって、本実施形態の説明において、その説明のない部分は前記第１実施形態の説明を援用するようにし、詳細な説明は省略する。そして、図面番号においても、第１実施形態と同一な構成要素に対しては同一な番号を与えて説明する。
【００９４】
図１３と１４は、本発明の第５実施形態に係る無線ヘッドセットの垂直断面図であって、無線ヘッドセットを切断する角度は前記図２及び図３に従う。
【００９５】
図１３と図１４を参照すれば、本実施形態に係るイヤホン位置ガイド構造も前記スペーサ７と前記本体２との連結部に形成される弾性ヒンジで提供されることは第１実施形態と同様である。しかしながら、本実施形態の場合には、特定の地点にヒンジが提供されるのでなく、スペーサ７をなす少なくとも一部分の材質が自体的に弾性材質で提供された状態であるため、前記イヤホン６が引出される際、前記スペーサ７が緩やかに曲がるようにすることが特徴的に相違する。したがって、特定の地点でヒンジによる回動が遂行されなくなる。
【００９６】
詳細に説明すれば、本実施形態に係るスペーサ７は、前記本体２をなす部品に結合される物品の形態で提供され、前記スペーサ７には軟質材料で提供される変形部（flexible portion）６１が含まれている。したがって、前記イヤホン６が外側に引出される時には前記変形部６１が柔らかく回転して折れることになる。
【００９７】
前記変形部６１と前記本体２との連結部分は前記本体２が先に射出製作された後に、前記変形部６１が前記本体２に対して二重射出されることによって、互いに連結されて製作されることもでき、前記本体２が製作された後に変形部６１が挟まれる形態で製作されることができる。但し、製作上の便宜のために二重射出により製作されることが好ましい。
【００９８】
一方、前記スペーサガイド溝９の外側端部には前記スペーサ７が引出された後に引出位置がガイドされるようにするために、その幅が縮小される形態で提供される係止段６２が形成される。前記係止段６２を通過する部分は変形部６１またはスペーサ７であるので、使用者はある程度の力のみ加えることになれば、容易にスペーサ７及びイヤホン６を外側に引出できることになる。この際、前記変形部６１は弾性変形された状態で前記係止段６２の間に収縮変形されているために、一旦、前記イヤホン６が引出された状態では前記変形部６１は引出位置を維持することになる。したがって、一旦、使用者がイヤホン６を引出すことになれば、引出されたイヤホン６の位置はその状態ままに維持された使用上の長所が同様に得られることになる。
【００９９】
詳細な説明してはいないが、前記スペーサ７は、前記変形部６１の材質と同一な材質で全体的に構成されることもでき、変形部６１の材質と異に、ある程度の強度のある他の材質でなされることができる。前記スペーサ７がある程度硬い物質で製作される場合にはイヤホン６を耳に挿入する動作がより便利に遂行できる長所が得られる。
【０１００】
（第６実施形態）
本発明の第６実施形態は、他の部分は第１実施形態と同一であり、前記イヤホン６が回転する方向と、前記イヤホン６の回転状態が第１実施形態と比較する際、特徴的に互いに相違する。したがって、本実施形態の説明において、その説明のない部分は、前記第１実施形態の説明を援用するようにし、詳細な説明は省略する。そして、図面番号においても、第１実施形態と同一な構成要素に対しては同一な番号を与えて説明する。
【０１０１】
図１５は本実施形態に係る無線ヘッドセットの垂直断面図であり、図１６は本実施形態に係る無線ヘッドセットの斜視図である。
【０１０２】
図１５と図１６を参照すれば、本実施形態に係る無線ヘッドセットは前記イヤホン６が前記無線ヘッドセットの上段部に提供されることは前記第１実施形態と同一であるが、前記イヤホン６は、前記無線ヘッドセットの延長方向に対して垂直な方向（図面を基準に水平方向）に回転する動作を持っている。そして、このような動作様態を得るために、前記本体２には水平方向に切欠される溝に上下方向（無線ヘッドセットの延長方向と平行した方向）に支持される回転軸７３が形成される。
【０１０３】
そして、前記スペーサ７と前記本体２との連結部には前記第１実施形態で既に説明されたようなフォルダ型携帯電話に使われるイヤホン位置ガイド構造と同一な構造が提供される。
【０１０４】
詳しくは、スペーサ７の端部には弾性ヒンジ７１が提供され、前記弾性ヒンジ７１の内部には上下方向に延びる回転軸７３が挿入され、前記回転軸７３と等角で回転する多角形の回転ガイド７５と、前記回転ガイド７５の回転時に所定の角で停止状態が維持されるようにするために提供される弾性部材７４と、前記弾性部材７４を内側で支持するためのヒンジ胴体７２が含まれる。
【０１０５】
このような構造において、前記イヤホン６は左右方向に１８０゜を回転できることになり、使用者は希望する位置で前記イヤホン６の停止位置にして無線ヘッドセットが使用できることになる。
【０１０６】
図１７は本実施形態に係る無線ヘッドセットの平面図であって、図１７を参照すれば、前記イヤホン６の回転範囲を説明しているが、前記イヤホン６が左右方向の限界角度まで回転した状態は、前記無線ヘッドセットの保管状態でありうる。そして、前記イヤホン６が回転範囲の中で、中心位置に置かれた状態は、前記無線ヘッドセットの使用状態でありうる。なぜなら、前記イヤホン６が回転範囲の中で、中心位置に至った時には前記スペーサ７と前記本体２との距離が最も遠いため、使用者の耳に前記本体２が触れる虞がないためである。
【０１０７】
本実施形態の場合にも前記イヤホン６の回転角度によって、前記イヤホン６の停止位置では、ある程度の外力が加えられなければ、イヤホン６が動かない停止状態が維持できる長所が得られる。延いては、前記イヤホン６が回転限界位置に置かれた時には、前記スペーサ７と前記本体２との距離が短い、言い換えると外部の物品がイヤホン６に容易に着かない状態が維持できるので、無線ヘッドセットの受納が便利になる長所が得られる。また、前記イヤホン６は前記長い棒形状の本体２のどの端部に形成されているため、保管時に干渉を起こさないで、使用者が片手で便利に取扱うことができる長所が得られる。
【０１０８】
一方、本実施形態では１８０゜範囲を限界にして回転することと説明しているが、１８０゜の内側である１７０゜などのような他の角度の範囲内で回転するようにすることができることが容易に分かるはずである。
【０１０９】
（第７実施形態）
本発明の第７実施形態は、他の部分は前記第６実施形態と同一であり、前記イヤホン６が回転する角度範囲と前記イヤホン６と前記本体２が連結される連結部の位置が特徴的に相違する。したがって、本実施形態の説明において、その説明のない部分は前記第６実施形態の説明を援用するようにし、詳細な説明は省略する。そして、図面番号においても、第６実施形態と同一な構成要素に対しては同一な番号を与えて説明する。
【０１１０】
図１８は、本実施形態に係る無線ヘッドセットの斜視図である。
【０１１１】
図１８を参照すれば、前記本体２に対して前記スペーサ７が連結される部分は前記本体２の断面から見て、１つの隅部であって、言い換えると、非円形、例えば、四角形断面で製作される際、四角形断面のコーナ部である。そして、前記イヤホン６の引入状態で前記イヤホン６が受納できるようにするために、保管時に前記イヤホン６が受容されるイヤホンガイド溝８が本体２に形成されている。
【０１１２】
本実施形態に係る無線ヘッドセットの動作を説明すれば、図１８のイヤホン６の実線はイヤホン６の保管状態を示す図であって、イヤホン６は全体的に本体２の内部に受容される様態を帯びており、少なくとも一部分は前記本体２が外部に表れて使用者が操作できるようにする。そして、イヤホン６の破線はイヤホン６の使用状態を示す図であって、スペーサ７により前記イヤホン６は前記本体２と一定距離以上離れている。したがって、前記無線ヘッドセットの使用時に使用者の耳と前記本体２との干渉現状は生じない。そして、前記スペーサ７と前記本体２との連結部には前記第６実施形態と同一な様態の弾性ヒンジが採用されているので、イヤホン６の停止状態をガイドすることは容易に予想されるはずである。
【０１１３】
一方、更に他の場合として、前記スペーサ７と前記本体２との連結部の位置を変更することによって、前記破線の状態が保管状態でのイヤホンの位置となり、前記実線の状態が使用状態でのイヤホンの位置となるようにすることができるものである。この場合には、前記イヤホンガイド溝８は図面を基準にして前記本体２の側面から内側方向に深く挿入される様態を帯びることになるはずである。
【０１１４】
本実施形態によっても、前記イヤホン６は前記長い棒形状の本体２のどの端部に形成されているため、保管時に干渉を起こさないで、使用者が片手で便利に取扱うことができる長所が得られる。
【０１１５】
（第８実施形態）
図１９は本発明の第８実施形態に係る無線ヘッドセットによる図１のII−II’の断面図であり、図２０は本発明の第８実施形態に係る無線ヘッドセットによる図１のI−I’の断面図であり、図２１と図２２は本発明の第８実施形態に係る無線ヘッドセットに係る無線ヘッドセットにおいて、イヤホンの引入及び引出動作を説明する図であって、図２０は引入／引出動作中の状態の断面図であり、図２１は引出された状態の断面図である。
【０１１６】
本発明の第８実施形態に係る無線ヘッドセット１は、イヤホン６の移動が便利に提供されることを特徴とするが、以下ではそれと関連する構成を詳細に説明する。
【０１１７】
前記無線ヘッドセット１は所定の形状で提供される本体２と、前記本体２の一端部に突出する形状であって、回転可能に装着されるイヤホン６が提供される。また、前記イヤホン６と前記本体２との連結部分にはイヤホン６と本体２との間に所定長さの間隔を提供するスペーサ７が提供され、前記本体２には前記スペーサ７の位置をガイドするスペーサガイド溝９が形成される。
【０１１８】
詳しくは、前記イヤホン６は、前記所定形状の本体の上段部、または、下段部中のどの一端部側に提供され、前記一端部から突出した形状で提供されることによって、使用者は目で見なくても長い棒の端部でイヤホン６を触覚により認知し、これを外側に引出す動作だけでも前記イヤホン６を容易に引出して無線ヘッドセット１を使用状態にすることができる。また、前記のような突出した形状によって前記本体２の大きさを減らすことができ、これによって軽快で、かつ簡潔な形状を表すことになる。
【０１１９】
また、前記イヤホン６は、図６に示すように、本体２で回転して、固定の際、本体２の上面の延長線（Ｃ１）に対してイヤホン２の中心では（Ｃ２）の角度（Ａ）が５〜２０゜の角度で傾斜するように形成され、好ましくは１０〜１５゜で形成され、前記イヤホン６は本体２で回転して、固定の際、イヤホン６の底面と本体の上面との間のオフセット（offset）（Ｂ）が２〜８ｍｍで形成され、好ましくは４〜５ｍｍで形成される。
【０１２０】
詳しくは、前記スペーサ７は、無線ヘッドセット１の使用状態で前記イヤホン６が外側に引出されてイヤホン６が使用者の耳の中に挿入される際、前記本体２が使用者の耳に掛かって干渉を起こして装着に邪魔になることを防止するためのものである。言い換えると、前記スペーサ７により無線ヘッドセット１が使用者の耳に掛かる時、使用者の耳と本体２との間に一定程度の距離を置いて維持するようにするためのものである。そして、前記スペーサガイド溝９は、前記無線ヘッドセット１が使われるために、前記イヤホン６が前記本体２から引出されたり、前記イヤホン６の引出された状態でスペーサ７の移動をガイドするためのものである。
【０１２１】
以下、前記イヤホン６の位置をガイドするイヤホン位置ガイド構造をより詳細に説明する。
【０１２２】
まず、前記スペーサ７の下段部には回転軸８１が前記スペーサ７の延長方向に対して垂直方向に形成されており、前記回転軸８１の下段部にはストッパー８２が形成される。そして、前記回転軸８１には前記イヤホン６の引入状態への復帰に必要な弾性力を提供する弾性部材８５が更に連結されている。また、前記ストッパー８２の下段には、前記本体２の延長方向と平行した方向に維持されるように弾性部材（図示していない）などによって弾性力を提供受ける支持部８３が形成されている。
【０１２３】
詳しくは、前記ストッパー８２は半径が異なる曲線が結合されいる形状をなしており、上記の各曲線が結合する部位に断面または段部が形成される。前記イヤホン６が引出状態にある時には、前記断面または段部が前記支持部８３によって支持されることによって、外力が加えられても引出状態を安定的に維持することができる。
【０１２４】
詳しくは、前記ストッパー８２の曲線は、前記スペーサ７との連結部で半径が最も小さく、前記段部で半径が最も長い、即ち螺旋形状をなしている。これは、前記ストッパー８２の回転によって回転感知部１３を作動させるためのものである。
【０１２５】
一方、前記本体２の一側面には引出／引入動作部８６が形成されており、前記引出／引入動作部８６と前記本体２との間には、使用者が前記引出／引入動作部８６を作動させた後、これを原位置させる動作部側弾性部材８７が形成される。
【０１２６】
一方、前記引出／引入動作部８６に連結される突出部８４は、好ましくは、前記本体２の内部に向かう長い棒形状をなして、前記支持部８３に接するように形成されて、前記引出／引入動作部８６の作動により前記支持部８３を移動するようにする役割をする。
【０１２７】
また、前記本体２の内部と前記ストッパー８２の間には回転感知部１３が形成されて、前記イヤホン６の引入及び／または引出状態によって前記無線ヘッドセット１の電源供給を制御する役割をする。
【０１２８】
前記のような構造により、前記イヤホン６及びこれと連結される前記スペーサ７と回転軸８１は、前記ストッパー側弾性部材８５により、前記本体２と平行した方向、即ち引入方向に回転しようという力を常に提供受けることになる。
【０１２９】
また、前記引入状態で使用者が外力を加えて前記イヤホン６が外側に完全に引出された状態になれば、前記ストッパー８２は前記支持部８３により支持されて、外力が加えられても引出状態を安定的に維持することができる。
【０１３０】
一方、前記ストッパー８２、ストッパー側弾性部材８５及び前記支持部８３の相互作用により前記イヤホン６が安定した状態で置かれる位置は２箇所である。第１は、前記無線ヘッドセット１が使われない状態、即ち前記イヤホン６が前記本体と同一線上に置かれてスペーサ７が前記本体の内部に完全に引入された状態である。また、第２は、前記無線ヘッドセット１が使用中の状態であって、前記イヤホン６が外側に完全に引出されて本体と垂直した位置に回転した状態である。
【０１３１】
また、前記イヤホン６が引出状態と引入状態の中間位置、即ち本体から９０度より小さな角度で回転した状態では、ストッパー側弾性部材８５により前記イヤホン６が常に本体内部に引入される方向に力を受ける。言い換えると、前記イヤホン６が本体と同一線上に位置されるようにする方向に力が作用することになる。
【０１３２】
このようなイヤホンの位置ガイド構造により、一定程度以上の外力が加えられて前記イヤホン６が完全な引出状態になって、支持部８３により支持受けることになる状態でなければ、前記ストッパー８２とストッパー側弾性部材８５及び前記支持部８３の相互作用により前記イヤホン６が外側に引出されない。
【０１３３】
したがって、ポケットやかばんに無線ヘッドセット１が受容された状態で外部に加えられる衝撃によっても前記イヤホン６が引出されない長所を期待することができる。このような構造によって、前記イヤホン６の衛生状態が改善され、使用者の便宜性が改善され、無線ヘッドセット１の動作安全性が増大する長所がある。
【０１３４】
前記の構造を参照しつつ本発明に係る動作乃至作用をより詳細に説明する。
【０１３５】
まず、前記無線ヘッドセット１が使用待機中の状態を重点的に説明する。前記無線ヘッドセット１は携帯電話と同様に使用者が続けて使用することが一般的な状態であって、何時でも使用者の手が着くことができる位置に置かれることが好ましい。このために、前記無線ヘッドセット１の本体２のいずれか一側にはクリップ５が形成されている。前記クリップ５は別途の物品であって、前記本体２の一側に固定されている。そして、本体２のどの一端部から他端部に延びる形態であって、クリップ５はその自体としてある程度変形自在である。したがって、使用者はシャツのポケットなどの隅に前記クリップ５を利用して無線ヘッドセット１を容易に据置できることになる。そして、携帯電話に電話がかかって来る等、無線ヘッドセット１を使用しようとする時には無線ヘッドセット１を容易に引出して使用することができる。
【０１３６】
もちろん、図面に提示される前記クリップ５は一実施形態に過ぎなくて、前記本体２に一体で提供される等、多様な様態で提供されることができる。
【０１３７】
前記クリップ５は本発明の無線ヘッドセット１が棒形状で提供される場合に、その使用性が一層改善されるものであって、無線ヘッドセット１がボールペンなどのような形態で使われる場合にポケットなどにかかって据置されることにより、その使用性がより改善されることができる。
【０１３８】
また、前記無線ヘッドセット１が使用待機中の状態では前記イヤホン６は前記本体２に受容された状態であって、前記本体２により支持されている。そして、前記無線ヘッドセット１の延長方向と同一な方向である一方向に置かれていることができるために、外部の物品により邪魔になる虞のない長所がある。延いては、イヤホン６が外界の他の物品に掛かってもイヤホン位置ガイド構造によって位置が安定的に支持されているため、イヤホン６が外側に引出されることはない。このような安定した構造により、無線ヘッドセット１の動作上の安全性が改善される長所が得られる。
【０１３９】
前記無線ヘッドセット１が使われる過程をより詳細に説明する。
【０１４０】
携帯電話などに呼び出しが来て無線ヘッドセット１を使用しようとする時には、クリップ５の据置状態を除去して無線ヘッドセット１を引出して、前記イヤホン６を回転させて外部に引出すことになる。
【０１４１】
前記イヤホン６の引出過程をより詳細に説明すれば、使用者が前記本体２を握っている手で前記本体２の外側に突出しているイヤホン６の一部分を押すことになる。すると、前記イヤホン６は回転軸８１を中心に回転することになり、前記イヤホン６を前記本体６に対して垂直した方向に完全に押すことになれば、前記イヤホン６は、前記支持部８３により支持される。言い換えると、前記ストッパー８２と前記支持部８３の相互作用により前記イヤホン６は引出状態に固定され、外力が加えられても引出状態を維持することになる。
【０１４２】
一方、上記のように、前記イヤホン６が完全に引出されて固定された状態になれば、前記本体２の内壁に位置した回転感知部１３が作動する。詳しくは、前記ストッパー８２は螺旋形状をなして、前記スペーサ７の連結部と対称を成す部分の半径が最も長くように形成される。したがって、前記イヤホン６が引入された状態では、上記の半径が最も長い部分（以下、“長半径部”という）が回転感知部１３と接しないが、前記イヤホン６が引出された状態では前記長半径部と前記回転感知部１３が接することになって、前記回転感知部１３が作動する。言い換えると、前記イヤホン６が引出されれば、前記ストッパー８２及び前記支持部８３の相互作用によって前記イヤホン６の位置が固定されると共に、前記回転感知部１３が作動して、前記無線ヘッドセット１の動作を開始するものである。
【０１４３】
詳しくは、前記回転感知部１３には図２１乃至図２２に示すように、スイッチが設置されて前記ストッパー８２の回転が感知されることができる。即ち、前記回転感知部１３にスイッチを設置して、前記イヤホン６が引出されて前記ストッパー８２が前記回転感知部１３のスイッチと接すれば、前記無線ヘッドセット１が動作状態となり、前記イヤホン６が引入されて前記ストッパー８２が前記回転感知部１３のスイッチと離隔すれば前記無線ヘッドセット１が動作終了状態になる方法であつて、前記無線ヘッドセット１の動作を自動に制御することができる。
【０１４４】
また、前記回転感知部１３にセンサーが設けられて、前記ストッパー８２の回転を感知することができる。即ち、前記回転感知部１３に設けられたセンサーがイヤホン６の引出位置を感知することにより、自動に無線ヘッドセット１が動作状態及び／または動作終了状態になるようにすることができる。このために、前記ストッパー８２と前記支持部８３の移動を感知するセンサー、または、前記スペーサガイド溝９の内部に形成されてスペーサ７の移動を感知するセンサーなどのような多様な様態のセンサーが設けられるように使われることができる。このようなセンサーは、本発明の無線ヘッドセット１において、前記イヤホン６が回動される動作を感知することにより、動作できるものであって、本発明のようにイヤホン６が引出されたり引入される方式で形成される無線ヘッドセット１の使用性を一層高めることができ、使用者の便宜性を高めることができる長所がある。
【０１４５】
前記無線ヘッドセット１が使用終了される過程をより詳細に説明する。
【０１４６】
携帯電話などの使用を終了して無線ヘッドセット１を終了しようとする時には、前記イヤホン６を回転させて内部に引入することになる。
【０１４７】
前記イヤホン６の引入過程をより詳細に説明すれば、使用者が前記本体２を握っている手で前記本体２の外側に突出している引出／引入動作部８６を作動させる。
【０１４８】
好ましくは、前記引出／引入動作部８６はボタンの形態でに提供されることができ、また前記ボタンは動作部側弾性部材８７により作動後援位置されるように構成されることができる。
【０１４９】
一方、前記引出／引入動作部８６を前記本体２の内部方向に押すと、前記引出／引入動作部８６に連結される突出部８４は、前記支持部８３と相互作用して、前記支持部８３を前記ストッパー８２の支持位置から離脱させる。上記のように、前記支持部８３を前記ストッパー８２の支持位置から離脱させれば、前記ストッパー８２を支持する力が除去され、前記イヤホン６は前記イヤホン６の回動位置に弾性力を提供するストッパー側弾性部材８５により引入状態に復帰することになる。
【０１５０】
一方、上記のように、前記イヤホン６が引入されれば、前記本体２の内壁に位置した回転感知部１３が作動する。言い換えると、前記ストッパー８２及び前記支持部８３の相互作用によりイヤホン６の位置が引入状態に復帰されると共に、前記回転感知部１３が作動して、前記無線ヘッドセット１の動作を自動に終了するものである。前記説明したように、前記回転感知部１３にはスイッチまたはセンサーなどが使われることができる。
【０１５１】
一方、使用者が前記無線ヘッドセット１の使用終了後にも前記無線ヘッドセット１を続けて耳に挿入したままに活動することを希望する場合、オン／オフボタン１０を操作して前記無線ヘッドセット１の使用を手動で終了させることができる。
【０１５２】
前記イヤホン６の引入及び引出動作は図２０乃至図２２により明確に分かる。
【０１５３】
図２３は、無線ヘッドセットのスイッチ関連ブロック図である。
【０１５４】
以下、図２３を参照して前記イヤホン６の操作による電源制御過程を説明する。
【０１５５】
使用者が無線ヘッドセット１を使用しようとする際は、前記イヤホン６を回転させて前記イヤホン６を外部に引出すことになる。また、前記無線ヘッドセット１の使用を終了しようとする際は、前記イヤホン６を回転させて前記イヤホン６を内部に引入することになる。
【０１５６】
詳しくは、使用者が前記無線ヘッドセットを使用するために、前記イヤホンを完全に引出すれば、前記ストッパーが回転して前記回転感知部のスイッチをオン（ＯＮ）させたり、または、センサーを作動させる。すると、前記回転感知部で発生された所定の信号は制御部に伝達される。
【０１５７】
前記制御部に伝達された信号によって電源部が動作して前記無線ヘッドセットは連結モードとなり、前記無線ヘッドセットの送信のためのマイク部、受信のためのスピーカ部及び本体とのデータ送受信を担当する通信制御部などの動作部が作動を開始するようになる。
【０１５８】
一方、使用者が無線ヘッドセットの使用を終了するために、前記イヤホンを完全に引入すれば、前記ストッパーが回転して前記回転感知部のスイッチをオフ（ＯＦＦ）させたり、または、センサーを作動させる。すると、前記回転感知部で発生された所定の信号は制御部に伝達される。
【０１５９】
前記制御部に伝達された信号により電源部が動作して、前記無線ヘッドセットは待機モードとなり、前記無線ヘッドセットは動作部の作動を終了することになる。
【０１６０】
図２４は、無線ヘッドセットの作動モード関連ブロック図である。
【０１６１】
以下、無線ヘッドセットの作動モードに対して説明する。
前記無線ヘッドセット１の作動モードは、電源ＯＦＦモード、待機モード、連結モードの３つに大別される。
【０１６２】
電源ＯＦＦモードは、無線ヘッドセット１の動作が完全に停止した状態であって、一体の電力が消費されない状態である。即ち、携帯電話の電源が消えた状態と類似の状態である。
【０１６３】
前記電源ＯＦＦモードにおいて、オン／オフボタン１０を長く押すと、前記無線ヘッドセット１は待機モードに入る。前記待機モードは、携帯電話の待機状態と類似の状態であって、使用者が前記無線ヘッドセット１を使用するために、前記イヤホン６を引出したり前記オン／オフボタン１０を押すと、直ちに無線ヘッドセット１の使用状態、即ち連結モードに入ることができる状態である。前記待機モードではブルートゥース本体との連結を維持するための最小限の電力だけ消費される。
【０１６４】
前記待機モードにおいて、使用者が無線ヘッドセット１を使用するために前記イヤホン６を引出したり前記オン／オフボタン１０を押すと、前記無線ヘッドセット１は連結モードに入る。前記連結モードは、携帯電話の通話状態と類似の状態であって、使用者が前記無線ヘッドセット１を使用して音声信号などのデータを送受信する状態である。前記連結モードでは、送信のためのマイク部、受信のためのスピーカ部、本体とのデータ送受信を担当する通信制御部など、無線ヘッドセット１の使用に必要な全ての構成要素が活性化される。
【０１６５】
前記待機モードと連結モードの転換は、前記イヤホン６の引出及び／または引入により、または前記オン／オフボタンにより発生される。
【０１６６】
一方、前記の説明で簡単に説明されたように、前記イヤホン６は保管状態では前記本体２の延長方向と同一な方向に延びており、前記イヤホン６の使用状態では前記本体２の延長方向に対して折れる動作、言い換えると、前記本体２に対して畳まれる方向に回転することになる。したがって、前記イヤホン６と前記本体２の距離はより一層遠ざかることになり、使用者の耳と前記本体２との干渉は一層減る長所が得られる。
【０１６７】
また、詳細に説明してはいないが、前記イヤホン６に電気信号を伝達するために、前記イヤホン６が前記基板１２を連結するフレキシブル基板（ＦＰＣＢ）のような所定の連結構造が提供できることは当然である。
【０１６８】
また、前記マイク部３は使用者の口と最も近い無線ヘッドセット１の下段部に形成されて使用者の音声がより効率よく感知できるようにする。
【０１６９】
本発明によれば、前記イヤホン６は無線ヘッドセット１のどの端部で無線ヘッドセット１の長手方向に延長され、畳まれる方向に回動される構造となっているので、構造的な便宜性が改善される長所が得られる。また、無線ヘッドセット１の内側空間に装着されないため、本体２の内部部品の設置上の便宜性と空間効率性が増進する長所があり、これで、無線ヘッドセット１の大きさが一層小さくなる長所が得られる。また、前記イヤホン６が前記本体２の外部に突出している形状をすることで、前記イヤホン６の引出及び引入操作が容易になり、無線ヘッドセット１の大きさが一層小さくなり、簡潔で、かつ軽快な形状をなす長所がある。また、前記イヤホン６の引出及び引入動作だけで、前記無線ヘッドセット６の電源供給が自動に制御されるので、使用者は一層簡単で、かつ容易に前記無線ヘッドセット６を使用することができる長所がある。
【０１７０】
（第９実施形態）
本発明の第９実施形態は、他の部分は第８実施形態と同一であり、但し、前記イヤホンの位置ガイド構造が特徴的に変わる。したがって、本実施形態の説明においてその説明のない部分は前記第８実施形態の説明を援用するようにし、詳細な説明は省略する。そして、図面番号においても、第８実施形態と同一な構成要素に対しては同一な番号を与えて説明する。
【０１７１】
図２５乃至図２７は、本発明の第９実施形態に係る無線ヘッドセットの垂直断面図である。
【０１７２】
図２５乃至図２７を参照すれば、本実施形態に係るイヤホン位置ガイド構造は第８実施形態とは反対に、前記イヤホン６の回動位置に弾性力を提供するストッパー側弾性部材８５により復帰する方向が引入状態でない引出状態となる。
【０１７３】
即ち、本発明の第９実施形態において、前記イヤホン６は、引入状態で前記支持部８３により支持され、前記引出／引入動作部８６の作動の際、ストッパー側弾性部材８５により引出状態に戻る。
【０１７４】
前記無線ヘッドセット１が使われる過程、即ち前記イヤホン６の引出過程を詳細に説明すれば、使用者が前記本体２を握っている手で前記本体２の外側に位置した引出／引入動作部８６を作動させる。
【０１７５】
好ましくは、前記引出／引入動作部８６は、ボタンの形態で提供されることができ、また前記ボタンは動作部側弾性部材８７により作動後、原位置されるように構成されることができる。
【０１７６】
一方、前記引出／引入動作部８６を前記本体２の上方に押すと、前記引出／引入動作部８６に連結される突出部８４は、前記支持部８３と相互作用して、前記支持部８３を前記ストッパー８２の支持位置から離脱させる。前記のような動作によって前記ストッパー８２を支持する力が除去され、前記イヤホン６は前記イヤホン６の回動位置に弾性力を提供するストッパー側弾性部材８５により引出状態に回転することになる。
【０１７７】
一方、前記第８実施形態と同様に、前記イヤホン６が引出されると共に、前記本体２の内壁に位置した回転感知部１３が作動する。即ち、イヤホン６の位置が引出状態に回転すると共に、前記回転感知部１３が作動して、前記無線ヘッドセット１の動作が開始される。
【０１７８】
一方、前記第８実施形態と同様に、前記イヤホン６が完全に引出されれば、前記本体２の内壁に位置した回転感知部１３が作動する。即ち、前記ストッパー８２の長半径部と前記回転感知部１３が接することになって、前記回転感知部１３が作動し、これによって前記無線ヘッドセット１の動作が開始される。詳しくは、前記回転感知部１３にはスイッチまたはセンサーなどが使われることができる。
【０１７９】
以下、前記無線ヘッドセット１が使用終了する過程をより詳細に説明する。
【０１８０】
使用者が携帯電話などの使用を終了して無線ヘッドセット１を終了しようとする時には、使用者は前記イヤホン６を回転させて内部に引入させる。
【０１８１】
即ち、使用者が前記本体２を握っている手で引出されている前記イヤホン６の一部分を押すことになれば、前記イヤホン６は回転軸８１を中心に回転することになり、前記イヤホン６を前記本体６と並んでいる方向に完全に押すことになれば、前記イヤホン６は前記支持部８３により支持される。言い換えると、前記ストッパー８２と前記支持部８３の相互作用により前記イヤホン６は引入状態に固定され、外力が加えられても引入状態を維持することになる。
【０１８２】
一方、前記第８実施形態と同様に、前記イヤホン６が完全に引入されて固定された状態になれば、前記本体２の内壁に位置した回転感知部１３が作動する。即ち、前記イヤホン６が引入されて前記ストッパー８２及び前記支持部８３の相互作用によってイヤホン６の位置が固定されると共に、前記回転感知部１３が作動して、前記無線ヘッドセット１の動作が自動に終了されるようにしたものである。
【０１８３】
前記のような構造による前記無線ヘッドセット１は、運転者のように、常に両手を使用しているので、前記無線ヘッドセット１を常に着用している使用者に一層有用なことと期待される。なぜならば、前記ストッパー側弾性部材８５により復帰する方向が引入状態でない引出状態であるため、前記イヤホン６が引入状態まで完全に回転して前記支持部８３により固定されない以上、前記イヤホン６が外力により一定程度回転しても、また引出状態に戻るためである。
【０１８４】
（第１０実施形態）
本発明の第１０実施形態は、他の部分は第８実施形態と同一であり、前記イヤホン６が回転する方向と、前記イヤホン６の回転状態が第８実施形態と比較する際、特徴的に相違する。したがって、本実施形態の説明において、その説明のない部分は前記第８実施形態の説明を援用するようにし、詳細な説明は省略する。そして、図面番号においても、第８実施形態と同一な構成要素に対しては同一な番号を与えて説明する。
【０１８５】
図２８は本発明の第１０実施形態に係る無線ヘッドセットの斜視図であり、図２９は本発明の第１０実施形態に係る無線ヘッドセットの垂直断面図である。
【０１８６】
図２８と図２９を参照すれば、本実施形態に係る無線ヘッドセットは、前記イヤホン６が前記無線ヘッドセットの上段部に突出した形態で提供されることは前記第８実施形態と同一であるが、前記イヤホン６は前記無線ヘッドセットの延長方向に対して垂直した方向の図面を基準に水平方向に回転する動作を持っている。そして、このような動作様態を得るために、前記本体２には水平方向に切欠される溝に、上下方向、即ち、無線ヘッドセットの延長方向と平行した方向に支持される回転軸９２が形成される。
【０１８７】
そして、前記スペーサ７と前記本体２の連結部に提供されるイヤホン位置ガイド構造はフォルダタイプ携帯電話のフォルダの回転のためのヒンジ構造と類似の構造であって、スペーサ７と本体２との連結部に弾性ヒンジ９０が形成されている。
【０１８８】
前記弾性ヒンジ９０の構造を詳細に説明する。本実施形態に係る弾性ヒンジ９０は外部ケースをなすヒンジ胴体９１と、前記ヒンジ胴体９１の内壁に安着する弾性部材９４が含まれ、前記弾性部材９４の内側部分に挿入される多角形の回転ガイド９３と、前記回転ガイド９３及び前記スペーサ７と等角度で回転する回転軸９２が含まれる。
【０１８９】
このような構造において、前記イヤホン６は左右方向に３６０゜を回転できることになる。言い換えると、前記イヤホン６が回転する時には前記回転軸９２及び回転ガイド９３が回転し、前記回転ガイド９３の回転動作は前記弾性部材９４により回転角度が制御される。即ち、前記回転ガイド９３は少なくとも１つの平面が含まれる多角形で提供されるため、前記弾性部材９４は回転ガイド９３の平面と対応できる角度に前記回転軸９２を回転させることになる。このような動作構造において、前記回転ガイド９３と対応する平面は前記イヤホン６が本体の外部に完全に回転した状態で前記弾性部材９４と互いに対向する位置と、前記イヤホン６が本体の内部に完全に回転した状態で前記弾性部材９４と互いに対向する位置には少なくとも形成されることが好ましい。
【０１９０】
このような構造において、前記イヤホン６は左右方向に３６０゜を回転できることになり、使用者は希望する位置で前記イヤホン６の停止位置にして無線ヘッドセットが使用できることになる。
【０１９１】
図３０は、本発明の第１０実施形態に係る前記イヤホン６の回転範囲を説明する無線ヘッドセットの平面図である。図３０を参照すれば、前記イヤホン６が本体内部方向に完全に回転した状態、即ちスペーサ７が前記本体２の延長方向と平行した位置に置かれ、前記イヤホン６が前記本体２の延長線上の内部に位置した状態は前記無線ヘッドセットの保管状態でありうる。
【０１９２】
一方、前記イヤホン６が本体の外部方向に完全に回転した状態、即ちスペーサ７が前記本体２の延長方向と平行した位置に置かれ、前記イヤホン６が前記本体２の延長線上の外部に位置した状態は前記無線ヘッドセットの使用状態でありうる。なぜならば、前記イヤホン６が本体の外部方向に完全に回転した状態は前記スペーサ７と前記本体２との距離が最も遠いため、使用者の耳に前記本体２が触れる虞がないためである。
【０１９３】
前記の構造を参照しつつ本発明に係る動作乃至作用をより詳細に説明する。
【０１９４】
前記無線ヘッドセット１が使われる過程を詳細に説明すれば、使用者は無線ヘッドセット１を使用するために、前記本体２の上部に突出して本体内部に向かっているイヤホン６及び／またはスペーサ７を手に握って左右に回転することになる。すると、前記イヤホン６は回転軸８３を中心に回転することになり、前記イヤホン６を前記本体２の外部方向に完全に回転させれば、前記イヤホン６は前記弾性ヒンジ９０により固定される。
【０１９５】
一方、上記のように、前記イヤホン６が前記本体２の外部方向に完全に回転すれば、弾性ヒンジ９０に位置した回転感知部１３が作動する。言い換えると、前記イヤホン６が前記本体２の外部方向に完全に回転すれば、前記弾性ヒンジ９０によりイヤホン６の位置が固定されると共に、前記回転感知部１３が作動して、前記無線ヘッドセット１の動作が開始されるものである。
【０１９６】
好ましくは、前記第８実施形態及び第９実施形態と同様に、前記弾性ヒンジ９０の動作により前記回転感知部１３を作動させるために、前記回転軸９２及び前記回転ガイド９３の移動を感知するセンサー、または、前記スペーサガイド溝９の内部に形成されてスペーサ７の移動を感知するセンサーなどのような多様な様態のセンサーが設置されて使われることができる。このようなセンサーにより、前記イヤホン６を回転する動作だけで前記無線ヘッドセット１の電源供給を制御することによって、前記無線ヘッドセット１の使用性を高め、使用者の便宜性を高めることができる長所がある。
【０１９７】
前記無線ヘッドセット１が使用終了になる過程をより詳細に説明する。
【０１９８】
使用者が前記無線ヘッドセット１の使用を終了しようとする時には、前記本体２の上部に突出して本体外部に向かっているイヤホン６及び／またはスペーサ７を手で握って左右に回転することになる。すると、前記イヤホン６は回転軸８３を中心に回転することになり、前記イヤホン６を前記本体２の内部方向に完全に回転させれば、前記イヤホン６は前記弾性ヒンジ９０により固定される。
【０１９９】
一方、上記のように前記イヤホン６が前記本体２の内部方向に完全に回転すれば、前記弾性ヒンジ９０によりイヤホン６の位置が固定されると共に、前記回転感知部１３が作動して、前記無線ヘッドセット１の動作が終了する。
【０２００】
一方、使用者が前記無線ヘッドセット１の使用終了後にも前記無線ヘッドセット１を続けて耳に挿入したままで活動することを希望する場合、オン／オフボタン１０を操作して前記無線ヘッドセット１の使用を手動で終了させることができる。
【０２０１】
本実施形態の場合、前記イヤホン６の回転角度によって、前記イヤホン６の停止位置ではある程度の外力が加えられなければ、イヤホン６が動かない停止状態が維持できる長所が得られる。延いては、前記イヤホン６が本体内部方向に完全に回転した状態の時には、前記イヤホン６が前記本体２の延長線上の内部に位置した状態であるので、外部の物品がイヤホン６に容易に触れない状態が維持できるので、無線ヘッドセットの受納が便利になる長所が得られる。また、前記イヤホン６は、本体２のどの端部に突出した形態で形成されているために、保管時に干渉を起こさないで、使用者が片手で便利に取扱うことができる長所が得られる。
【０２０２】
（第１１実施形態）
図３１は本発明の第１１実施形態に係る無線ヘッドセットによる図１のII−II’の断面図であり、図３２は本発明の第１１実施形態に係る無線ヘッドセットによる図１のI−I’の断面図である。
【０２０３】
本発明に係る無線ヘッドセット１は、イヤホン６の移動状態が便利に提供されることを一つの特徴とするが、以下ではそれと関連する構成をより詳細に説明する。
【０２０４】
前記イヤホン６と前記本体２との連結部分には、イヤホン６と本体２との間に所定長さの間隔を提供するスペーサ７が棒形状で提供され、前記本体２には前記イヤホン６の位置をガイドするイヤホンガイド溝８と前記スペーサ７の位置をガイドするスペーサガイド溝９が形成される。
【０２０５】
また、前記イヤホン６は、図６に示すように、本体２で回転して、固定の際、本体２の上面の延長線（Ｃ１）に対してイヤホン２の中心線（Ｃ２）の角度（Ａ）が５〜２０゜の角度に傾斜するように形成され、好ましくは１０〜１５゜で形成され、前記イヤホン６は本体２で回転して、固定の際、イヤホン６の底面と本体の上面との間のオフセット（offset）（Ｂ）が２〜８ｍｍで形成され、好ましくは４〜５ｍｍで形成される。
【０２０６】
詳しくは、前記スペーサ７は無線ヘッドセット１の使用状態で前記イヤホン６が外側に引出されてイヤホン６が使用者の耳の中に挿入される際、前記本体２が使用者の耳に掛かることによって干渉を起こして装着に邪魔になることを防止するためのものである。言い換えると、前記スペーサ７により無線ヘッドセット１が使用者の耳に掛かる際、使用者の耳と本体２との間に一定程度の距離を置いて維持されるようにするためのものである。  
【０２０７】
詳しくは、前記イヤホンガイド溝８は、前記無線ヘッドセット１が保管状態で前記イヤホン６が本体１に対して隣接する状態で受納される際、イヤホン６の定着位置を提供するために長い棒形状の前記本体２の端部から内部に広い幅で陥没形成される部分である。
【０２０８】
詳しくは、前記スペーサガイド溝９は、前記無線ヘッドセット１が使われるために、前記イヤホン６が前記本体２から引出されたり、前記イヤホン６の引出された状態でスペーサ７の移動をガイドするためのものである。
【０２０９】
以下、前記イヤホン６の位置をガイドし、また少なくとも前記イヤホン６の動作状態で前記回転部の位置を固定して、一定程度以下の外力が与えられる場合には前記回転部の回転を防止する、回転部、変形部及び回転防止部の構造をより詳細に説明する。
【０２１０】
まず、前記スペーサ７の下段部には回転軸１０１が前記スペーサ７の延長方向に対して垂直方向に形成されており、前記回転軸の端部には変形部１０２が形成され、前記変形部１０２には回転防止部１０３が接しており、前記回転防止部１０３の端部には弾性部材１０４が更に連結されている。
【０２１１】
前記のような構造により、前記回転防止部１０３は、前記弾性部材１０４から前記変形部１０２方向の力を常に提供受けることになる。そして、前記回転防止部１０３は、前記変形部１０２と常に接した状態で前記変形部１０２が一定の回転角度で置かれるようにする力を提供する。
【０２１２】
詳しくは、本実施形態に係る構造はノック式ボールペンと類似の構造をなす。即ち、前記変形部１０２は凹凸構造をなしており、前記回転防止部１０３は、前記変形部１０２の凹凸構造と噛み合うように突出形状をなしている。したがって、前記イヤホン６を前記回転軸１０１方向に回転させれば、前記回転防止部１０３は、前記変形部１０２の凹凸構造に沿って、凹凸構造の凹部から次の凹部まで１ピッチ（pitch）だけずつ移動する。
【０２１３】
本実施形態の動作を説明すれば、まず前記変形部１０２が前記回転防止部１０３と整列された状態では、前記回転防止部１０３は前記変形部１０２の回転に対して抵抗力を発揮するために、前記変形部１０２は一定程度以下の外力に対しては回転できなくて拘束される。この状態で、一定程度以上の外力が加えられて前記イヤホン６が引出されたり引入される方向に回転すれば、前記回転軸１０１及び変形部１０２は前記変形部１０２の凹凸構造の１ピッチだけずつ前記イヤホン６と共に回転する。
【０２１４】
言い換えると、前記変形部１０２の凹凸構造と前記回転防止部１０３は互いに噛み合う状態でのみ整列される。また、前記変形部の回転数によって前記イヤホン６の回転角度が変わることになる。このような構造によって、前記イヤホン６の停止位置がより多様な場合の数で提供されることができ、したがって、使用者はイヤホン６が多様な位置に置かれた状態で使用者の耳に定着させようとする場合、より積極的に対応できる長所が得られる。
前記無線ヘッドセット１の使用及び使用終了過程をより詳細に説明する。
【０２１５】
携帯電話などへの呼出しに応じて、無線ヘッドセット１を使用しようとする時には、使用者が前記無線ヘッドセット１を手に握って前記イヤホン６を回転させて外部に引出す。言い換えると、使用者が前記イヤホンガイド溝８の外側に突出しているイヤホン６の一部分を押して一定程度以上の外力を連続的に加えると、前記イヤホン６は前記変形部１０２と回転防止部１０３と弾性部材１０４の相互作用により一定角度だけずつ回転軸１０１を中心に回転することになる。
【０２１６】
そして、一旦、前記イヤホン６が引出された以後、使用者が引出す時と同一な力でイヤホン６を内側に引入する前までは、前記イヤホン６は前記変形部１０２と回転防止部１０３と弾性部材１０４との間で作用する力により引出された位置で固定される。したがって、使用者が耳にイヤホン６を挿入する時にも前記イヤホン６の引出位置は正確に維持され、これによって、前記イヤホン６の挿入動作がより正確で、かつ容易になされることができる。
【０２１７】
一方、前記無線ヘッドセット１の使用が終了されて、前記イヤホン６を内側に引入しようとする時には前記イヤホン６を内側に回転させればよい、前記イヤホン６の引出動作と反対に動作すればよいので、その詳細な説明は省略する。
【０２１８】
一方、前記イヤホン６が完全に引出された後には、前記オン／オフボタン１０を動作して無線ヘッドセット１の動作が開始でき、使用が終わった後にはオン／オフボタン１０をまた押さえて無線ヘッドセット１の使用を終了させることができる。
【０２１９】
好ましくは、前記本体の内部に、イヤホン６の引出位置を感知することにより、自動に無線ヘッドセット１が動作状態及び／または動作終了状態になるようにすることができる回転感知部１３が含まれることができる。このために、前記変形部１０２及び／または前記回転防止部１０３の移動を感知するセンサー、または、前記スペーサガイド溝９の内部に形成されてスペーサ７の移動を感知するセンサーなどのような多様な様態のセンサーが設けられるように使われることができる。このようなセンサーは本発明の無線ヘッドセット１で前記イヤホン６が回動される動作を感知することにより、動作できるものであって、本発明のようにイヤホン６が引出されたり引入される方式で形成される無線ヘッドセット１の使用性を一層高めることができ、使用者の便宜性を高めることができる。
【０２２０】
一方、前記の説明で簡単に説明されたように、前記イヤホン６は保管状態では前記本体２の延長方向と同一な方向に延長されており、前記イヤホン６の使用状態では前記本体２の延長方向に対して折れる動作、言い換えると、前記本体２に対して畳まれる方向に回転することになる。したがって、前記イヤホン６と前記本体２の距離は一層遠ざかることになり、使用者の耳と前記本体２との干渉は一層減る長所が得られる。
【０２２１】
また、詳細に説明してはいないが、前記イヤホン６に電気信号を伝達するために、前記イヤホン６と前記基板１２とを連結するフレキシブル基板（ＦＰＣＢ）等のような所定の連結構造が提供できることは当然である。
【０２２２】
また、前記マイク部３は使用者の口と最も近い無線ヘッドセット１の下段部に形成されて使用者の音声がより効率よく感知できるようにする。
【０２２３】
本発明によれば、前記イヤホン６は無線ヘッドセット１のどの端部で前記無線ヘッドセット１の長手方向に延長され、畳まれる方向に回動される構造となっているので、構造的な便宜性が改善される長所が得られる。また、前記イヤホン６が無線ヘッドセット１の内部空間に装着されないので、本体２内部部品の設置上の便宜性と空間効率性が増進する長所がある。また、これによって、無線ヘッドセット１の大きさが一層小さくなり、携帯及び保管が簡便になる長所が得られる。また、前記イヤホン６の引出及び引入動作だけで、前記無線ヘッドセット６の電源供給が自動に制御されるので、使用者は一層簡単で、かつ容易に前記無線ヘッドセット６を使用することができる長所がある。
【０２２４】
（第１２実施形態）
本発明の第１２実施形態は、他の部分は第１１実施形態と同一であり、但し、前記イヤホンの位置ガイド構造が特徴的に変わる。したがって、本実施形態の説明において、その説明のない部分は前記第１１実施形態の説明を援用するようにし、詳細な説明は省略する。そして、図面番号においても、第１１実施形態と同一な構成要素に対しては同一な番号を与えて説明する。
【０２２５】
図３３と図３４は、本発明の第１２実施形態に係る無線ヘッドセットの垂直断面図であって、無線ヘッドセットを切断する角度は前記図３１及び図３２と同一である。
【０２２６】
図３３と図３４を参照すれば、本実施形態に係るイヤホン位置ガイド構造、即ち回転部、変形部及び回転防止部の構造は、歯車及びラッチ（ratch：輪楔）と類似の構造である。即ち、前記イヤホン位置ガイド構造は、前記スペーサ７の下段部に形成される回転軸１１１と、前記回転軸の一端部に形成されて前記回転軸１１１と同一な中心軸で回転する歯車１１２と、前記歯車１１２と噛み合って歯車の回転を制御するラッチ１１３と、前記ラッチ１１３を支持するラッチ支持軸１１４と、前記ラッチ１１３の回動位置に弾性力を提供するラッチ部弾性部材１１５とが含まれる。
【０２２７】
詳細に説明すれば、前記回転軸１１１と前記歯車１１２は互いに同一な中心軸で回転する物品であり、前記歯車１１２は緩やかな傾斜をなす多数の凹凸構造で構成される。一方、前記ラッチ１１３は、前記歯車１１２の溝と結合される形状であり、前記本体２の延長方向と平行するように位置され、前記ラッチ支持軸１１４及びラッチ部弾性部材１１５により常に前記方向を維持するように所定の弾性力を提供受ける。
【０２２８】
前記のような構造により、前記ラッチ１１３は前記ラッチ部弾性部材１１５により前記歯車１１２の求心方向の力を常に提供受けることになり、前記歯車１１２と常に接した状態で前記歯車１１２が一定の回転角度で置かれるようにする力を提供する。
【０２２９】
本実施形態の動作を説明すれば、まず前記ラッチ１１３が前記歯車１１２の溝に結合された状態では、前記ラッチ１１３は前記歯車１１２の回転に対して抵抗力を発揮するために、前記歯車１１２は一定程度以下の外力に対しては回転できなくて拘束される。この状態で、一定程度以上の外力が加えられて前記イヤホン６が引出されたり引入される方向に回転すれば、前記回転軸１１１及び歯車１１２は前記歯車１１２の凹凸構造の１ピッチ（pitch）だけずつ前記イヤホン６と共に回転する。
【０２３０】
言い換えると、本実施形態の場合、前記歯車１１２が回転しながら前記歯車１１２の各溝が前記ラッチ１１３と整列される度に停止位置が安定するため、多様な角度の停止位置を得ることができる。これによって、使用者は自身の好みに合う多様な使用位置を選択することができる。
【０２３１】
一方、第１１実施形態と同様に、前記本体の内部に、イヤホン６の引出位置を感知することにより、自動に無線ヘッドセット１が動作状態及び／または動作終了状態になるようにすることができる回転感知部１３が含まれることによって、使用者の便宜性を高めることができる。
【０２３２】
（第１３実施形態）
本発明の第１３実施形態は、他の部分は第１１実施形態と同一であり、但し、前記イヤホンの位置ガイド構造が特徴的に変わる。したがって、本実施形態の説明において、その説明のない部分は前記第１１実施形態の説明を援用するようにし、詳細な説明は省略する。そして、図面番号においても、第１１実施形態と同一な構成要素に対しては同一な番号を与えて説明する。
【０２３３】
図３５と図３６は本発明の第１３実施形態に係る無線ヘッドセットの垂直断面図であって、無線ヘッドセットを切断する角度は前記図３１及び図３２と同一である。
【０２３４】
図３５と図３６を参照すれば、本実施形態に係るイヤホン位置ガイド構造は、前記スペーサ７の下段部に前記スペーサ７の延長方向に対して垂直方向に形成される回転軸１２１と、前記回転軸１２１のどの一側に形成されて前記回転軸１２１と同一な中心軸に回転する変形部１２２と、前記変形部１２２と相互作用して前記変形部１２２の回転を制御する回転防止部１２３と、前記回転防止部１２３に更に連結されている弾性部材１２４が含まれることを特徴とする。
【０２３５】
詳細に説明すれば、前記構造はカムと類似の構造であって、前記回転防止部１２３は前記弾性部材１２４により常に上方に上げられる力を提供受けることになり、前記回転防止部１２３の上段は前記変形部１２２に常に接した状態で前記変形部１２２が一定の回転角度で置かれるようにする力を提供する。したがって、前記イヤホン６が回転する時には前記回転軸１２１を経由して前記変形部１２２が回転するようにし、前記変形部１２２は非円形のカムと類似の形態に２つの溝を有している形状で製作されて、前記回転防止部１２３により押し上げられて、一定の位置にイヤホン６が常に移動するようにする力を提供する。
【０２３６】
前記変形部１２２と前記回転防止部１２３の相互作用によって、前記イヤホン６が安定した状態で置かれる位置は、前記イヤホン６が完全に引入されて無線ヘッドセット１が使われない状態であるとか、前記イヤホン６が外側に完全に引出されて無線ヘッドセット１が使用中の状態でありうる。そして、その中の位置では変形部１２２が不安定な位置に置かれているため、常にどの一方に回転する力を提供する。
【０２３７】
以下、本実施形態に係る前記無線ヘッドセット１の動作を詳細に説明する。
【０２３８】
使用者が無線ヘッドセット１を使用しようとする時には、前記イヤホン６を回転させて外部に引出すことになる。前記イヤホン６の引出過程をより詳細に説明すれば、使用者が前記本体２を握っている手で前記イヤホンガイド溝８の外側に突出しているイヤホン６の一部分を押すことになる。すると、前記イヤホン６は回転軸１２１を中心に回転することになり、前記イヤホン６は変形部１２２及び回転防止部１２３の相互作用により回転して外側に引出される。
【０２３９】
このように、使用者が一定程度以上の外力を与えれば、イヤホン６が軽快で、かつ簡潔に外側に引出できるため、使用者の便宜性は一層改善されることができる。そして、一旦、イヤホン６が引出された後には使用者が引出す時と同一な力でイヤホン６を内側に引入する前までは、イヤホン６は前記変形部１２２と前記回転防止部１２３との間で作用する力によって引出された位置で固定されている。
【０２４０】
前記のような構造により、使用者は前記イヤホン６を容易に着用することができ、イヤホン６の使用中に、前記無線ヘッドセット１にある程度の外力が加えられても安定的に無線ヘッドセット１を使用することができる長所がある。
【０２４１】
一方、第１１実施形態と同様に、前記本体の内部に、イヤホン６の引出位置を感知することにより、自動に無線ヘッドセット１が動作状態及び／または動作終了状態になるようにすることができる回転感知部１３が含まれることにより、使用者の便宜性を高めることができる。
【０２４２】
（第１４実施形態）
本発明の第１４実施形態は、他の部分は第１３実施形態と同一であり、但し、前記イヤホンの位置ガイド構造が特徴的に変わる。したがって、本実施形態の説明において、その説明のない部分は前記第１３実施形態の説明を援用するようにし、詳細な説明は省略する。そして、図面番号においても、第１３実施形態と同一な構成要素に対しては同一な番号を与えて説明する。
【０２４３】
図３７と図３８は、本発明の第１４実施形態に係る無線ヘッドセットの垂直断面図であって、無線ヘッドセットを切断する角度は前記図３５及び図３６と同一である。
【０２４４】
図３７と図３８を参照すれば、本実施形態に係るイヤホン位置ガイド構造は、前記スペーサ７の下段部に形成される回転軸１３１と、前記回転軸１３１のどの一側に形成されて前記回転軸１３１と同一な中心軸に回転する変形部１３２と、前記変形部１３２と相互作用して前記変形部１３２の回転を制御する回転防止部１３３と、前記回転防止部１３３に更に連結されている弾性部材１３４が含まれることを特徴とする。
【０２４５】
以下、前記第１３実施形態と特徴的に相違する、前記変形部１３２を中心で、本実施形態による構成と動作を詳細に説明する。
【０２４６】
前記変形部１３２の構造は、前記第１２実施形態の歯車構造と前記第１３実施形態の２つの溝を有するカム構造の混合型で理解することができる。即ち、前記変形部１３２は非円形のカムと類似の形態であり、前記イヤホン６の回転範囲と対応する部分に一定の間隔の溝が形成されている。そして、前記イヤホン６の回転範囲の中で、イヤホン６が完全に引出された状態と完全に引入された状態に対応する溝、即ち両端溝は、他の溝より深い陥没部が形成されて、引入状態及び引出状態を確実に固定させる役割をする。
【０２４７】
前記変形部１３２の以外の構造、即ち回転軸１３１、回転防止部１３３及び弾性部材１３４の構造及び役割は前記第１３実施形態と同一であり、前記回転防止部１３３は前記弾性部材１３４により常に上方に上げられる力を提供受けることになり、前記回転防止部１３３の上段は、前記変形部１３２に常に接した状態で、前記変形部１３２が一定の回転角度で置かれるようにする力を提供する。したがって、前記イヤホン６が回転する時には、前記回転軸１２１を経由して前記変形部１２２が回転するようにし、前記変形部１２２は前記回転防止部１２３により押し上げられて一定の位置にイヤホン６が常に移動するようにする力を提供する。
【０２４８】
本実施形態の動作を説明すれば、まず前記変形部１３２が前記回転防止部１３３と噛み合っている状態では、前記回転防止部１３３は前記変形部１３２が回転できないように抵抗力を発揮するため、前記変形部１３２は一定程度以下の外力に対しては回転できなくて拘束される。この状態で、一定程度以上の外力が加えられて前記イヤホン６が引出または引入される方向に回転すれば、前記回転軸１３１及び変形部１３２は前記変形部１３２の溝を１つだけずつ回転する。
【０２４９】
即ち、前記変形部１３２が前記回転防止部１３３と噛み合う位置によって前記イヤホン６の回転角度が変わることになって、前記イヤホン６の停止位置がより多様な場合の数で提供されることができ、したがって、イヤホン６が多様な位置に固定されることができる。これによって、使用者は自身が希望する多様な使用位置を選択することができ、各位置は前記変形部１３２及び前記回転防止部１３３により支持されるため、より安定した使用がなされることができる長所がある。
【図面の簡単な説明】
【０２５０】
【図１】本発明に係る無線ヘッドセットの斜視図である。
【図２】図１のII−II’の断面図である。
【図３】図１のI−I’の断面図である。
【図４】本発明の第１実施形態に係る無線ヘッドセットにおいて、イヤホンの引入及び引出動作を説明する図であって引入／引出動作中の状態の断面図である。
【図５】本発明の第１実施形態に係る無線ヘッドセットにおいて、イヤホンの引入及び引出動作を説明する図であって、引出された状態の断面図である。
【図６】本発明の第１実施形態に係る無線ヘッドセットのイヤホンの角度及びオフセットを説明する図である。
【図７】本発明の第２実施形態に係る無線ヘッドセットの垂直断面図である。
【図８】本発明の第２実施形態に係る無線ヘッドセットの垂直断面図である。
【図９】本発明の第３実施形態に係る無線ヘッドセットの垂直断面図である。
【図１０】本発明の第３実施形態に係る無線ヘッドセットの垂直断面図である。
【図１１】本発明の第４実施形態に係る無線ヘッドセットの垂直断面図である。
【図１２】本発明の第４実施形態に係る無線ヘッドセットの垂直断面図である。
【図１３】本発明の第５実施形態に係る無線ヘッドセットの垂直断面図である。
【図１４】本発明の第５実施形態に係る無線ヘッドセットの垂直断面図である。
【図１５】第６実施形態に係る無線ヘッドセットの垂直断面図である。
【図１６】第６実施形態に係る無線ヘッドセットの斜視図である。
【図１７】第６実施形態に係る無線ヘッドセットの平面図である。
【図１８】第７実施形態に係る無線ヘッドセットの斜視図である。
【図１９】本発明の第８実施形態に係る無線ヘッドセットによる図１のII−II’の断面図である。
【図２０】本発明の第８実施形態に係る無線ヘッドセットによる図１のI−I’の断面図である。
【図２１】本発明の第８実施形態に係る無線ヘッドセットによる無線ヘッドセットにおいて、イヤホンの引入及び引出動作を説明する図であって引入／引出動作中の状態の断面図である。
【図２２】本発明の第８実施形態に係る無線ヘッドセットによる無線ヘッドセットにおいて、イヤホンの引入及び引出動作を説明する図であって引出された状態の断面図である。
【図２３】本発明の第８実施形態に係る無線ヘッドセットによるスイッチ関連ブロック図である。
【図２４】本発明の第８実施形態に係る作動モード関連ブロック図である。
【図２５】本発明の第９実施形態に係る無線ヘッドセットの垂直断面図である。
【図２６】本発明の第９実施形態に係る無線ヘッドセットの垂直断面図である。
【図２７】本発明の第９実施形態に係る無線ヘッドセットの垂直断面図である。
【図２８】本発明の第１０実施形態に係る無線ヘッドセットの斜視図である。
【図２９】本発明の第１０実施形態に係る無線ヘッドセットの垂直断面図である。
【図３０】本発明の第１０実施形態に係る無線ヘッドセットの平面図である。
【図３１】本発明の第１１実施形態に係る無線ヘッドセットによる図１のII−II’の断面図である。
【図３２】本発明の第１１実施形態に係る無線ヘッドセットによる図１のI−I’の断面図である。
【図３３】本発明の第１２実施形態に係る無線ヘッドセットの垂直断面図である。
【図３４】本発明の第１２実施形態に係る無線ヘッドセットの垂直断面図である。
【図３５】本発明の第１３実施形態に係る無線ヘッドセットの垂直断面図である。
【図３６】本発明の第１３実施形態に係る無線ヘッドセットの垂直断面図である。
【図３７】本発明の第１４実施形態に係る無線ヘッドセットの垂直断面図である。
【図３８】本発明の第１４実施形態に係る無線ヘッドセットの垂直断面図である。
【符号の説明】
【０２５１】
１    無線ヘッドセット
２    本体
５    クリップ
６    イヤホン
７    スペーサ
８    イヤホンガイド溝
９    スペーサガイド溝
１３    回転感知部
【図１】
2007151127.tif 000003
【図２】
2007151127.tif 000004
【図３】
2007151127.tif 000005
【図４】
2007151127.tif 000006
【図５】
2007151127.tif 000007
【図６】
2007151127.tif 000008
【図７】
2007151127.tif 000009
【図８】
2007151127.tif 000010
【図９】
2007151127.tif 000011
【図１０】
2007151127.tif 000012
【図１１】
2007151127.tif 000013
【図１２】
2007151127.tif 000014
【図１３】
2007151127.tif 000015
【図１４】
2007151127.tif 000016
【図１５】
2007151127.tif 000017
【図１６】
2007151127.tif 000018
【図１７】
2007151127.tif 000019
【図１８】
2007151127.tif 000020
【図１９】
2007151127.tif 000021
【図２０】
2007151127.tif 000022
【図２１】
2007151127.tif 000023
【図２２】
2007151127.tif 000024
【図２３】
2007151127.tif 000025
【図２４】
2007151127.tif 000026
【図２５】
2007151127.tif 000027
【図２６】
2007151127.tif 000028
【図２７】
2007151127.tif 000029
【図２８】
2007151127.tif 000030
【図２９】
2007151127.tif 000031
【図３０】
2007151127.tif 000032
【図３１】
2007151127.tif 000033
【図３２】
2007151127.tif 000034
【図３３】
2007151127.tif 000035
【図３４】
2007151127.tif 000036
【図３５】
2007151127.tif 000037
【図３６】
2007151127.tif 000038
【図３７】
2007151127.tif 000039
【図３８】
2007151127.tif 000040